(57)【要約】記録信号に基づいて、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号が生成され、これに基づいて光源が制御され、レーザパルスが記録媒体に照射されることにより、記録信号に対応する記録マークが記録媒体上に形成される。かかる記録パルス信号の生成処理において、記録媒体が前記第２の回転速度で回転駆動されるときには、トップパルスの位置を記録媒体が前記第１の回転速度で回転駆動されるときのトップパルスの位置より前方にシフトさせる。これにより、高速記録時においても適切な形状の記録マークを形成することができる。
2003107332.tif 000002
【特許請求の範囲】
【請求項１】
記録媒体にレーザ光を照射して、記録信号に応じた記録マークを形成する情報記録装置において、
前記記録媒体を少なくとも第１の回転速度と該第１の速度より速い第２の回転速度で回転駆動する駆動源と、
前記レーザ光を出射する光源と、
前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成手段と、
前記記録パルス信号に基づいて前記光源を制御することにより、前記記録媒体上にレーザパルスを照射する制御手段と、を備え、
前記信号生成手段は、前記記録媒体が前記第２の回転速度で回転駆動されるとき、前記トップパルスの位置を前記記録媒体が前記第１の回転速度で回転駆動されるときの前記トップパルスの位置より前方にシフトさせることを特徴とする情報記録装置。
【請求項２】
前記トップパルスのシフト量は、０．１〜２．０Ｔの間の値であることを特徴とする請求の範囲第１項に記載の情報記録装置。
【請求項３】
前記信号生成手段は、前記記録媒体が前記第２の回転速度で回転駆動されるとき、前記第１の振幅を、前記第２の振幅の１．１〜２．０倍の間の値とすることを特徴とする請求の範囲第１項に記載の情報記録装置。
【請求項４】
記録媒体にレーザ光を照射して、記録信号に応じた記録マークを形成する情報記録装置において、
前記記録媒体を少なくとも第１の回転速度と該第１の速度より速い第２の回転速度で回転駆動する駆動源と、
前記レーザ光を出射する光源と、
前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成手段と、
前記記録パルス信号に基づいて前記光源を制御することにより、前記記録媒体上にレーザパルスを照射する制御手段と、を備え、
前記信号生成手段は、前記記録媒体が前記第２の回転速度で回転駆動されるとき、前記ラストパルスの位置を前記記録媒体が前記第１の回転速度で回転駆動されるときの前記ラストパルスの位置より後方にシフトさせることを特徴とする情報記録装置。
【請求項５】
前記ラストパルスのシフト量は、０．１〜２．０Ｔの間の値であることを特徴とする請求の範囲第４項に記載の情報記録装置。
【請求項６】
前記信号生成手段は、前記記録媒体が前記第２の回転速度で回転駆動されるとき、前記第１の振幅を、前記第２の振幅の１．１〜２．０倍の間の値とすることを特徴とする請求の範囲第４項に記載の情報記録装置。
【請求項７】
記録媒体にレーザ光を照射して、記録信号に応じた記録マークを形成する情報記録装置において、
前記記録媒体を少なくとも第１の回転速度と該第１の速度より速い第２の回転速度で回転駆動する駆動源と、
前記レーザ光を出射する光源と、
前記記録信号に基づき、前端部に位置し第１の振幅を有するトップパルスと、１つ又は複数のパルスにより構成されるとともに前記トップパルスに続くパルス列部とを含む記録パルス信号を生成する信号生成手段と、
前記記録パルス信号に基づいて前記光源を制御することにより、前記記録媒体上にレーザパルスを照射する制御手段と、を備え、
前記信号生成手段は、前記記録媒体が前記第２の回転速度で回転駆動されるとき、前記トップパルスの位置を前記記録媒体が前記第１の回転速度で回転駆動されるときの前記トップパルスの位置より前方にシフトさせることを特徴とする情報記録装置。
【請求項８】
前記トップパルスのシフト量は、０．１〜１．５Ｔの間の値であることを特徴とする請求の範囲第７項に記載の情報記録装置。
【請求項９】
前記信号生成手段は、前記記録媒体が前記第２の回転速度で回転駆動されるとき、前記パルス列部のデューティ比を０．３〜０．９の間の値とすることを特徴とする請求の範囲第７項に記載の情報記録装置。
【請求項１０】
光源からのレーザ光を記録媒体に照射して、記録信号に応じた記録マークを形成する情報記録方法において、
前記記録媒体を少なくとも第１の回転速度と該第１の速度より速い第２の回転速度で回転駆動する駆動工程と、
前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成工程と、
前記記録パルス信号に基づいて前記光源を制御することにより、前記記録媒体上にレーザパルスを照射する制御工程と、を備え、
前記信号生成工程は、前記記録媒体が前記第２の回転速度で回転駆動されるとき、前記トップパルスの位置を前記記録媒体が前記第１の回転速度で回転駆動されるときの前記トップパルスの位置より前方にシフトさせることを特徴とする情報記録方法。
【請求項１１】
光源からのレーザ光を記録媒体に照射して、記録信号に応じた記録マークを形成する情報記録方法において、
前記記録媒体を少なくとも第１の回転速度と該第１の速度より速い第２の回転速度で回転駆動する駆動工程と、
前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成工程と、
前記記録パルス信号に基づいて前記光源を制御することにより、前記記録媒体上にレーザパルスを照射する制御工程と、を備え、
前記信号生成工程は、前記記録媒体が前記第２の回転速度で回転駆動されるとき、前記ラストパルスの位置を前記記録媒体が前記第１の回転速度で回転駆動されるときの前記ラストパルスの位置より後方にシフトさせることを特徴とする情報記録方法。
【請求項１２】
光源からのレーザ光を記録媒体に照射して、記録信号に応じた記録マークを形成する情報記録方法において、
前記記録媒体を少なくとも第１の回転速度と該第１の速度より速い第２の回転速度で回転駆動する駆動工程と、
前記記録信号に基づき、前端部に位置し第１の振幅を有するトップパルスと、１つ又は複数のパルスにより構成されるとともに前記トップパルスに続くパルス列部とを含む記録パルス信号を生成する信号生成工程と、
前記記録パルス信号に基づいて前記光源を制御することにより、前記記録媒体上にレーザパルスを照射する制御工程と、を備え、
前記信号生成工程は、前記記録媒体が前記第２の回転速度で回転駆動されるとき、前記トップパルスの位置を前記記録媒体が前記第１の回転速度で回転駆動されるときの前記トップパルスの位置より前方にシフトさせることを特徴とする情報記録方法。
【発明の詳細な説明】
技術分野
本発明は、レーザ光線などを利用して光ディスクに情報を記録する技術に属する。
背景技術
ＤＶＤ−Ｒ（ＤＶＤ−Ｒｅｃｏｒｄａｂｌｅ）、ＤＶＤ−ＲＷ（ＤＶＤ−Ｒｅ−ｒｅｃｏｒｄａｂｌｅ）などの書き込み又は書き換え可能な光ディスクには、ディスクの記録面上にレーザ光を照射して情報を記録する。光ディスクの記録面上のレーザ光が照射された部分は、温度が上昇するために光ディスクを構成する光記録媒体に変化が生じ、これにより記録マークが記録面上に形成される。
よって、記録すべき情報に応じた時間幅を有する記録パルスでレーザ光を変調して記録すべき信号に応じた長さのレーザパルスを生成し、これを光ディスクに照射することにより、記録すべき情報に応じた長さの記録マークを光ディスク上に形成することができる。
一方、最近では１つの記録マークを１つのレーザパルスで形成するのではなく、複数の短いパルスを含むパルス列部（パルストレインとも呼ばれる）により記録マークを形成するレーザパワーの制御手法が利用されている。このような手法はライトストラテジーとも呼ばれ、単一の記録パルスを照射する方法に比べて、光ディスクの記録面上における熱蓄積が減少するので、記録マークが形成される記録面上の温度分布を均一化することができる。その結果、記録マークが涙滴形状となることを防止して好ましい形状の記録マークを形成することができる。
上記の記録パルス列は、所定のリード（読取）パワーレベルとライト（書き込み又は記録）パワーレベルとの間で振幅が変動する複数のパルスにより構成されている。即ち、記録信号に従って、記録マークを形成しない光ディスクの記録面上の領域（以下、「スペース部」とも呼ぶ。）ではリードパワーでレーザ光が記録面上に照射され、記録マークを形成すべき光ディスクの記録面上の領域（以下、「マーク部」とも呼ぶ。）では、リードパワーとライトパワーの間で振幅が変化する記録パルス列に応じたパワーでレーザ光が記録面上に照射され、それにより記録マークが記録面上に形成される。
上述のライトストラテジーによる記録パルス波形の一例を図１５に示す。図１５の例は記録データのうち７Ｔのマークを記録する部分の記録パルス波形である。図示のように、記録パルスは、１つのトップパルス９０と、それに続く複数のパルス９１からなるパルストレイン（「マルチパルス」とも呼ばれる）９２により構成される。トップパルス９０は例えば１．５Ｔのパルス幅を有し、それに続くパルストレイン９２の各パルス９１は例えば０．５Ｔのパルス幅を有する。トップパルス９０及びパルストレイン９２はともにライトパワーＰｗとリードパワーＰｒの２値の間で振幅が変化するパルスである。
トップパルス９０は、マークの記録のために光ディスクの記録面を予熱及びマーク始端部を形成する役割を有し、１．５Ｔのパルス幅のトップパルス９０に対応する記録レーザを照射することにより、光ディスクの記録面を融点まで導く。その後、それに続くパルストレイン９２により所望の長さのマークを記録面に形成する。パルストレイン９２は例えばパルス幅０．５Ｔの複数のパルス９１（オン期間及びオフ期間を含む１周期は１Ｔ）の連続により構成される。これにより、光ディスクの記録面は、０．５Ｔのレーザ照射、０．５Ｔの急冷、０．５Ｔのレーザ照射、．．．が繰り返され、形成されるマークの長さが制御される。
図１５に例示する記録パルス波形を使用する方法では、記録すべきマーク長をｎとすると、記録パルスは１つのトップパルス９０と、（ｎ−３）個のパルス９１を含むパルストレイン９２とにより構成される。記録すべきマーク長に応じて、上述のような記録パルスを生成して記録レーザを駆動することにより、光ディスクの記録面上に所望の長さのマーク記録が行われる。
近年、ＤＶＤ−Ｒドライブなどのコンピュータ周辺機器においては、高速転送レートが要望されている。高速転送レートを得るためには、ディスク回転速度（線速度）を上げる必要があり、これに伴って記録時のレーザパワーも引き上げる必要がある。
しかし、図１５の例をはじめとする各種記録方法では、一般的に記録レーザパワーの引き上げに伴って記録マークの幅が広がってしまう。記録マークの幅が広がってしまうと、以下のような問題が生じる。
ＤＶＤ−Ｒディスクにおいては、記録トラック（グルーブ）は一定の周波数でウォブリングされ、また記録トラックの間のランドトラックにはランドプリピット（Ｌａｎｄ  Ｐｒｅ−Ｐｉｔ：以下、「ＬＰＰ」という。）と呼ばれるアドレスピットが形成されている。このウォブリングとＬＰＰにより、記録中のディスク回転制御や記録クロックの生成、また記録アドレス等のデータ記録に必要な情報を得ることができるようになっている。しかし、記録マークの幅が広がってしまうと、記録マークがランドやＬＰＰ上の記録膜にまで及び、ＬＰＰを変形させたり、つぶしてしまったりする場合がある。その結果、記録再生装置がＬＰＰを検出できなくなり、ディスクに対する記録・再生が不可能となってしまう。
また、ＤＶＤ＋Ｒと呼ばれるタイプのディスクでは、記録マークの幅が広がってしまうと、ウォブル信号の記録信号への漏れ込みが生じ、信号品質を悪化させると共に、ウォブル信号に変調されているアドレス信号が読み出されなくなってしまう。
発明の開示
本発明は、高速記録時においても適切な形状のマークを記録することが可能な情報記録装置及び情報記録方法を提供することを課題とする。
本発明の１つの観点によれば、記録媒体にレーザ光を照射して、記録信号に応じた記録マークを形成する情報記録装置において、前記記録媒体を少なくとも第１の回転速度と該第１の速度より速い第２の回転速度で回転駆動する駆動源と、前記レーザ光を出射する光源と、前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成手段と、前記記録パルス信号に基づいて前記光源を制御することにより、前記記録媒体上にレーザパルスを照射する制御手段と、を備え、前記信号生成手段は、前記記録媒体が前記第２の回転速度で回転駆動されるとき、前記トップパルスの位置を前記記録媒体が前記第１の回転速度で回転駆動されるときの前記トップパルスの位置より前方にシフトさせる。
また、同様の観点によれば、光源からのレーザ光を記録媒体に照射して、記録信号に応じた記録マークを形成する情報記録方法において、前記記録媒体を少なくとも第１の回転速度と該第１の速度より速い第２の回転速度で回転駆動する駆動工程と、前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成工程と、前記記録パルス信号に基づいて前記光源を制御することにより、前記記録媒体上にレーザパルスを照射する制御工程と、を備え、前記信号生成工程は、前記記録媒体が前記第２の回転速度で回転駆動されるとき、前記トップパルスの位置を前記記録媒体が前記第１の回転速度で回転駆動されるときの前記トップパルスの位置より前方にシフトさせる。
上記の情報記録装置及び方法によれば、例えばＤＶＤ−Ｒなどの記録媒体に対して、レーザ光を照射して記録マークを形成することにより情報を記録する。この際、少なくとも２種類の速度で記録を行うことができ、第１の記録速度で記録を行う際には記録媒体は第１の回転速度で回転駆動され、それより速い第２の記録速度で記録を行う際には記録媒体は第２の回転速度で回転駆動される。記録信号に基づいて生成される記録パルス信号は、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む。生成された記録パルス信号に基づいて光源が制御され、レーザパルスが記録媒体に照射されることにより、記録信号に対応する記録マークが記録媒体上に形成される。
ここで、記録パルス信号の生成処理においては、記録媒体が第２の回転速度で回転駆動されるときには、トップパルスの位置を記録媒体が前記第１の回転速度で回転駆動されるときのトップパルスの位置より前方にシフトさせる。第１の回転速度より高速の第２の回転速度で記録媒体が駆動される高速記録時において、トップパルスの位置を前方にシフトすることにより、記録媒体上に形成される記録マークが短くなることを防止することができる。その結果、高速記録時においても適切な形状の記録マークを形成することができる。
上記の情報記録装置及び方法においては、前記トップパルスのシフト量は、０．１〜２．０Ｔの間の値であることが好ましい。
上記の情報記録装置及び方法の他の一態様では、前記信号生成手段は、前記第１の振幅を、前記第２の振幅の１．１〜２．０倍の間の値とすることが好ましい。
本発明の他の観点によれば、記録媒体にレーザ光を照射して、記録信号に応じた記録マークを形成する情報記録装置において、前記記録媒体を少なくとも第１の回転速度と該第１の速度より速い第２の回転速度で回転駆動する駆動源と、前記レーザ光を出射する光源と、前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成手段と、前記記録パルス信号に基づいて前記光源を制御することにより、前記記録媒体上にレーザパルスを照射する制御手段と、を備え、前記信号生成手段は、前記記録媒体が前記第２の回転速度で回転駆動されるとき、前記ラストパルスの位置を前記記録媒体が前記第１の回転速度で回転駆動されるときの前記ラストパルスの位置より後方にシフトさせる。
また、本発明の同様の観点によれば、光源からのレーザ光を記録媒体に照射して、記録信号に応じた記録マークを形成する情報記録方法において、前記記録媒体を少なくとも第１の回転速度と該第１の速度より速い第２の回転速度で回転駆動する駆動工程と、前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成工程と、前記記録パルス信号に基づいて前記光源を制御することにより、前記記録媒体上にレーザパルスを照射する制御工程と、を備え、前記信号生成工程は、前記記録媒体が前記第２の回転速度で回転駆動されるとき、前記ラストパルスの位置を前記記録媒体が前記第１の回転速度で回転駆動されるときの前記ラストパルスの位置より後方にシフトさせる。
上記の情報記録装置及び方法によれば、例えばＤＶＤ−Ｒなどの記録媒体に対して、レーザ光を照射して記録マークを形成することにより情報を記録する。この際、少なくとも２種類の速度で記録を行うことができ、第１の記録速度で記録を行う際には記録媒体は第１の回転速度で回転駆動され、それより速い第２の記録速度で記録を行う際には記録媒体は第２の回転速度で回転駆動される。記録信号に基づいて生成される記録パルス信号は、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む。生成された記録パルス信号に基づいて光源が制御され、レーザパルスが記録媒体に照射されることにより、記録信号に対応する記録マークが記録媒体上に形成される。
ここで、記録パルス信号の生成処理においては、記録媒体が前記第２の回転速度で回転駆動されるときには、ラストパルスの位置を記録媒体が前記第１の回転速度で回転駆動されるときのラストパルスの位置より後方にシフトさせる。第１の回転速度より高速の第２の回転速度で記録媒体が駆動される高速記録時において、ラストパルスの位置を後方にシフトすることにより、記録媒体上に形成される記録マークが短くなることを防止することができる。その結果、高速記録時においても適切な形状の記録マークを形成することができる。
上記の情報記録装置及び方法においては、前記ラストパルスのシフト量は、０．１〜２．０Ｔの間の値であることが好ましい。
上記の情報記録装置及び方法の他の一態様では、前記信号生成手段は、前記第１の振幅を、前記第２の振幅の１．１〜２．０倍の間の値とすることが好ましい。
本発明のさらに他の観点では、記録媒体にレーザ光を照射して、記録信号に応じた記録マークを形成する情報記録装置において、前記記録媒体を少なくとも第１の回転速度と該第１の速度より速い第２の回転速度で回転駆動する駆動源と、前記レーザ光を出射する光源と、前記記録信号に基づき、前端部に位置し第１の振幅を有するトップパルスと、１つ又は複数のパルスにより構成されるとともに前記トップパルスに続くパルス列部とを含む記録パルス信号を生成する信号生成手段と、前記記録パルス信号に基づいて前記光源を制御することにより、前記記録媒体上にレーザパルスを照射する制御手段と、を備え、前記信号生成手段は、前記記録媒体が前記第２の回転速度で回転駆動されるとき、前記トップパルスの位置を前記記録媒体が前記第１の回転速度で回転駆動されるときの前記トップパルスの位置より前方にシフトさせる。
また、同様の観点では、光源からのレーザ光を記録媒体に照射して、記録信号に応じた記録マークを形成する情報記録方法において、前記記録媒体を少なくとも第１の回転速度と該第１の速度より速い第２の回転速度で回転駆動する駆動工程と、前記記録信号に基づき、前端部に位置し第１の振幅を有するトップパルスと、１つ又は複数のパルスにより構成されるとともに前記トップパルスに続くパルス列部とを含む記録パルス信号を生成する信号生成工程と、前記記録パルス信号に基づいて前記光源を制御することにより、前記記録媒体上にレーザパルスを照射する制御工程と、を備え、前記信号生成工程は、前記記録媒体が前記第２の回転速度で回転駆動されるとき、前記トップパルスの位置を前記記録媒体が前記第１の回転速度で回転駆動されるときの前記トップパルスの位置より前方にシフトさせる。
上記の情報記録装置及び方法によれば、例えばＤＶＤ−Ｒなどの記録媒体に対して、レーザ光を照射して記録マークを形成することにより情報を記録する。この際、少なくとも２種類の速度で記録を行うことができ、第１の記録速度で記録を行う際には記録媒体は第１の回転速度で回転駆動され、それより速い第２の記録速度で記録を行う際には記録媒体は第２の回転速度で回転駆動される。記録信号に基づいて生成される記録パルス信号は、前端部に位置し第１の振幅を有するトップパルスと、１つ又は複数のパルスにより構成されるとともに前記トップパルスに続くパルス列部とを含む。生成された記録パルス信号に基づいて光源が制御され、レーザパルスが記録媒体に照射されることにより、記録信号に対応する記録マークが記録媒体上に形成される。
ここで、記録パルス信号の生成処理においては、記録媒体が前記第２の回転速度で回転駆動されるときには、トップパルスの位置を記録媒体が前記第１の回転速度で回転駆動されるときのトップパルスの位置より前方にシフトさせる。第１の回転速度より高速の第２の回転速度で記録媒体が駆動される高速記録時において、トップパルスの位置を前方にシフトすることにより、記録媒体上に形成される記録マークが短くなることを防止することができる。その結果、高速記録時においても適切な形状の記録マークを形成することができる。
上記の情報記録装置及び方法においては、前記ラストパルスのシフト量は、０．１〜１．５Ｔの間の値であることが好ましい。
上記の情報記録装置及び方法の他の一態様では、前記信号生成手段は、前記パルス列部のデューティ比を、０．３〜０．９の間の値とすることが好ましい。
発明を実施するための最良の形態
以下、図面を参照して本発明の好適な実施の形態について説明する。
［装置構成］
図１に、本発明の実施形態にかかる情報記録再生装置の全体構成を概略的に示す。情報記録再生装置１は、光ディスクＤに情報を記録し、また、光ディスクＤから情報を再生するための装置である。光ディスクＤとしては、例えば１回に限り記録が可能なＣＤ−Ｒ（Ｃｏｍｐａｃｔ  Ｄｉｓｃ−Ｒｅｃｏｒｄａｂｌｅ）又はＤＶＤ−Ｒ、複数回にわたって消去及び記録が可能なＣＤ−ＲＷ（Ｃｏｍｐａｃｔ  Ｄｉｓｃ−Ｒｅｗｒｉｔａｂｌｅ）又はＤＶＤ−ＲＷなどの種々の光ディスクを使用することができる。
情報記録再生装置１は、光ディスクＤに対して記録ビーム及び再生ビームを照射する光ピックアップ２と、光ディスクＤの回転を制御するスピンドルモータ３と、光ディスクＤへの情報の記録を制御する記録制御部１０と、光ディスクＤに既に記録されている情報の再生を制御する再生制御部２０と、スピンドルモータ３の回転を制御するスピンドルサーボ、並びに光ピックアップ２の光ディスクＤに対する相対的位置制御であるフォーカスサーボ及びトラッキングサーボを含む各種サーボ制御を行うためのサーボ制御部３０と、を備える。
記録制御部１０は記録信号を受け取り、後述の処理により光ピックアップ２内部のレーザダイオードを駆動するための駆動信号ＳＤを生成して、これを光ピックアップ２へ供給する。
再生制御部２０は、光ピックアップ２から出力される読取ＲＦ信号Ｓｒｆを受け取り、これに対して所定の復調処理、復号化処理などを施して再生信号を生成して出力する。
サーボ制御部３０は、光ピックアップ２からの読取ＲＦ信号Ｓｒｆを受け取り、これに基づいてトラッキングエラー信号及びフォーカス信号などのサーボ信号Ｓ１を光ピックアップ２へ供給するとともに、スピンドルサーボ信号Ｓ２をスピンドルモータ３へ供給する。これにより、トラッキングサーボ、フォーカスサーボ、スピンドルサーボなどの各種サーボ処理が実行される。
なお、本発明は主として記録制御部１０における記録方法に関するものであり、再生制御及びサーボ制御については既知の種々の方法が適用できるので、それらについての詳細な説明は行わない。
また、図１には本発明の１つの実施形態として情報記録再生装置を例示しているが、本発明は記録専用の情報記録装置に適用することも可能である。
図２に、光ピックアップ２及び記録制御部１０の内部構成を示す。図２に示すように、光ピックアップ２は、光ディスクＤに対して情報を記録するための記録ビーム及び光ディスクＤから情報を再生するための再生ビームを生成するレーザダイオードＬＤと、レーザダイオードＬＤから出射されたレーザ光を受光して、レーザ光に対応するレーザパワーレベル信号ＬＤｏｕｔを出力するフロントモニタダイオード（ＦＭＤ）１６とを備える。
なお、光ピックアップ２は、この他に再生ビームの光ディスクＤによる反射ビームを受光して読取ＲＦ信号Ｓｒｆを生成するための光検出器や、記録ビーム及び再生ビーム並びに反射ビームを適切な方向に案内する光学系などの既知の構成要素を備えるが、それらの図示及び詳細な説明は省略する。
一方、記録制御部１０は、レーザダイオード（ＬＤ）ドライバ１２と、ＡＰＣ（Ａｕｔｏｍａｔｉｃ  Ｐｏｗｅｒ  Ｃｏｎｔｒｏｌ）回路１３と、サンプルホールド（Ｓ／Ｈ）回路１４と、コントローラ１５とを備える。
ＬＤドライバ１２は、記録信号に応じた電流をレーザダイオードＬＤに供給して、光ディスクＤへ情報の記録を行う。フロントモニタダイオード１６は、光ピックアップ２内のレーザダイオードＬＤの近傍に配置され、レーザダイオードＬＤから出射されるレーザ光を受光して、そのレベルを示すレーザパワーレベル信号ＬＤｏｕｔを出力する。
サンプルホールド回路１４は、サンプルホールド信号ＡＰＣ−Ｓ／Ｈにより規定されるタイミングでレーザパワーレベル信号ＬＤｏｕｔのレベルをサンプルし、ホールドする。ＡＰＣ回路１３は、サンプルホールド回路１４の出力信号に基づき、レーザダイオードＬＤから出射されるレーザ光のリードパワーレベルが一定となるようにＬＤドライバ１２のパワー制御を行う。
コントローラ１５は、主として記録動作とＡＰＣ動作とを行う。まず、記録動作について説明する。記録動作では、コントローラ１５はレーザダイオードＬＤへ供給される電流量を制御するスイッチの切換信号ＳＷＲ、ＳＷＷ１及びＳＷＷ２を生成して、ＬＤドライバ１２へ供給する。
図３にＬＤドライバ１２の詳細構成を示す。図３に示すように、ＬＤドライバ１２は、リードレベル用の電流源１７Ｒ、ライトレベル用の電流源１７Ｗ１及び１７Ｗ２、スイッチ１８Ｒ、１８Ｗ１及び１８Ｗ２を備える。
リードレベル用の電流源１７Ｒは、レーザダイオードＬＤにリードパワーでレーザ光を出射させるための駆動電流ＩＲを流す電流源であり、駆動電流ＩＲはスイッチ１８Ｒを介してレーザダイオードＬＤに供給される。よって、スイッチ１８ＲをオンにするとレーザダイオードＬＤにリードパワーの駆動電流ＩＲが供給され、スイッチ１８Ｒをオフにすると駆動電流ＩＲの供給は停止される。電流源１７Ｒからの駆動電流ＩＲの大きさは、制御信号ＳＡＰＣにより変化する。
ライトレベル用の電流源１７Ｗ１及び１７Ｗ２は、それぞれレーザダイオードＬＤにライトパワーでレーザ光を出射させるための駆動電流ＩＷ１及びＩＷ２を流す電流源である。駆動電流ＩＷ１はスイッチ１８Ｗ１を介してレーザダイオードＬＤに供給され、駆動電流ＩＷ２はスイッチ１８Ｗ２を介してレーザダイオードＬＤに供給される。
本発明によるライトストラテジーでは、第１のライトパワーＰｈと、それより低い第２のライトパワーＰｍの２つのレベルのライトパワーが使用される（図５参照）。スイッチ１８Ｒをオンにした状態で、スイッチ１８Ｗ１をオンにすると、レーザダイオードＬＤに駆動電流ＩＲ及びＩＷ１の合計駆動電流が供給され、これにより第２のライトパワーＰｍでレーザダイオードが駆動される。また、スイッチ１８Ｒ及び１８Ｗ１をオンにした状態でさらにスイッチ１８Ｗ２をオンにすると、レーザダイオードＬＤにはさらに駆動電流ＩＷ２が供給され、その結果、レーザダイオードには駆動電流ＩＲ、ＩＷ１及びＩＷ２の合計の駆動電流が流れてレーザダイオードは第１のライトパワーＰｈで駆動される。スイッチ１８Ｗ１をオフにすると駆動電流ＩＷ１の供給は停止され、スイッチ１８Ｗ２をオフにすると駆動電流ＩＷ２の供給は停止される。
図４に、レーザダイオードＬＤに供給される駆動電流と、レーザダイオードＬＤから出射されるレーザ光の出力パワーとの関係を示す。図４からわかるように、レーザダイオードＬＤに駆動電流ＩＲを供給すると、リードパワーＰＲでレーザ光が出射される。その状態でさらに駆動電流ＩＷ１を加えると、第２のライトパワーＰｍでレーザ光が出射される。また、さらに駆動電流ＩＷ２を加えると、第１のライトパワーＰｈでレーザ光が出射される。
光ディスクへの情報の記録時には、基本的には駆動電流ＩＲを常に供給してリードパワーＰＲでレーザ光を出射しておき、さらに記録パルスに従って駆動電流ＩＷ１及びＩＷ２を追加することにより第１のライトパワーＰｈ又は第２のライトパワーＰｍが印加されて、情報が光ディスクに記録される。
次に、ＡＰＣ動作について説明する。ＡＰＣ動作は、レーザダイオードＬＤにより出力されるレーザ光のリードパワーのレベルが一定となるように、ＬＤドライバ１２からレーザダイオードＬＤに供給される駆動電流レベルを調整するものである。より詳細には、記録信号（８−１６変調されており、３Ｔ〜１１Ｔ、１４Ｔの長さのマーク期間及びスペース期間を有する）のスペース部のうち、長いスペース期間（例えば５Ｔ〜１１Ｔ、１４Ｔのスペース期間）中において、リードパワーのレベルが一定となるように記録制御部１０からの駆動信号ＳＤを調整する。
具体的には以下のように動作する。コントローラ１５は、上述のように記録信号に対応する記録パルスを生成して、当該記録パルスによってＬＤドライバ１２を駆動してレーザダイオードＬＤからレーザ光を出射させる。
フロントモニタダイオード１６は、光ピックアップ２内のレーザダイオードＬＤの近傍に配置され、レーザダイオードＬＤから出射したレーザ光を受光してそのレベルを示すレーザパワーレベル信号ＬＤｏｕｔを生成し、サンプルホールド回路１４に供給する。
サンプルホールド回路１４は、コントローラ１５から入力されるサンプルホールド信号ＡＰＣ−Ｓ／Ｈにより与えられるタイミングで、フロントモニタダイオード１６から供給されるレーザパワーレベル信号ＬＤｏｕｔをサンプルし、そのレベルを所定期間ホールドする。コントローラ１５から出力されるサンプルホールド信号ＡＰＣ−Ｓ／Ｈは、ＡＰＣを実行する期間（「ＡＰＣ期間」と呼ぶ。）を示すパルスである。
よってサンプルホールド回路１４は、記録信号のスペース期間中のＡＰＣ期間においてレーザパワーレベル信号ＬＤｏｕｔのレベルをホールドしてＡＰＣ回路１３へ供給する。ＡＰＣ回路１３は、ＡＰＣ期間におけるレーザパワーレベル信号ＬＤｏｕｔのレベルが一定となるように、ＬＤドライバ１２へ制御信号ＳＡＰＣを供給する。
制御信号ＳＡＰＣは、図３に示すように、ＬＤドライバ１２内のリードレベル用電流源１７Ｒに入力される。これにより、制御信号ＳＡＰＣに応じて、リードレベル用電流源１７Ｒから流れる電流ＩＲが変化する。つまり、レーザダイオードＬＤにより得られるリードパワーレベルが一定となるようにＡＰＣが実行される。
［ライトストラテジー］
次に、本発明によるライトストラテジーについて説明する。
（基本ライトストラテジー）
まず、基本ライトストラテジーによる記録パルス波形を図５に示す。図５に示すように、基本ライトストラテジーによる記録パルス波形は、トップパルス４０、中間バイアス部４１及びラストパルス４２の３つの部分により構成される。また、これらの部分以外においては、記録パルス波形はリードパワーＰＲのレベルに維持されている。
基本ライトストラテジーは、２値のライトパワーを使用している。トップパルス４０及びラストパルス４２は第１のライトパワーＰｈを有し、中間バイアス部４１は第２のライトパワーＰｍを有している。第２のライトパワーＰｍはリードパワーＰＲより高いが、第１のライトパワーＰｈより低く設定される。
トップパルス４０はマーク記録のために光ディスクの記録面を予熱し、マーク始端部を形成する役割を有する。中間バイアス部４１は記録データの長さに応じてその時間幅が変化する。ラストパルス４２は主としてマークの後端部の形状を調整する役割を有する。また、基本的には、形成される記録マークの長さはトップパルス幅Ｔｔｏｐ、ラストパルス幅Ｔｌｐ、トップパルス前端部からラストパルス後端部までの幅Ｔｐ及び第１のライトパワーＰｈにより制御され、形成される記録マークの幅は第２のライトパワーＰｍにより制御される。
図６に、記録すべき各マーク長に対応する記録パルス波形を示す。記録データは８−１６変調されており、３Ｔ〜１１Ｔ、１４Ｔの長さのマーク期間及びスペース期間を有する。図示のように、記録パルス波形の前方エッジはマーク長にかかわらず常に記録データの前方エッジから１．５Ｔ遅れた位置にある。３Ｔ及び４Ｔの記録データの記録パルス波形は中間バイアス部４１を有さず、トップパルス４０とラストパルス４２とが合成された形で１つのパルスとなっている。このパルスのパワーはトップパルス及びラストパルスと同じ第１のライトパワーＰｈである。
記録データが５Ｔ以上の場合は、それぞれの長さに応じて中間バイアス部４１の長さが増加する。トップパルス４０とラストパルス４２のパルス幅は基本的にはそれぞれほぼ一定であり、中間バイアス部４１のように記録データ長に応じて大きく変化させなくても良い。
なお、図６の例においては、記録データが４Ｔの場合もトップパルスとラストパルスが合成した１つのパルス波形としているが、図６中の破線１００で示すように、記録データが４Ｔの場合は中間バイアス部を設けるように記録パルス波形を決定することもできる。
また、記録速度を高速化した場合には、その分クロックも高速化するので、３Ｔ及び４Ｔの記録データのみならず、５Ｔ以上の記録データについても、中間バイアス部が無くなった単一パルス型の記録パルス波形としても良い。
（改良型ライトストラテジー）
次に、本発明の改良型ライトストラテジーについて説明する。改良型ライトストラテジーは、上述の基本ライトストラテジーを基礎とし、さらに高速記録を行う際に適したものである。例えば、２種類以上の異なる速度で記録を行うことができる情報記録装置において、上述の基本ライトストラテジーを利用して通常速度の記録を行い、以下に説明する改良型ライトストラテジーを利用して通常速度よりも高速な記録を行うことができる。
高速記録を行うためにディスク回転速度を増加させる場合、正しく記録マークを形成するためには、その分記録レーザパワーも増加しなければならない。しかし、記録レーザパワーをあまりに増加すると、ディスクの記録トラックに形成される記録マークの幅が必要以上に広くなり、ＬＰＰの検出に支障が出るなどの不具合が生じる。本発明の改良型ライトストラテジーは、高速記録用にディスク回転速度を増加した場合でも、適切な幅の記録マークを形成することを可能とする。
先に述べたように、基本ライトストラテジーにおいて、形成される記録マークの幅に最も影響を与えるのは中間バイアス部４１のライトパワーＰｍである。よって、ライトパワーＰｍを下げれば、記録マークの幅が小さくなり変調度を下げることができる。なお、変調度とは、最長スペース部（１４Ｔスペース）に対する再生信号のピーク値とゼロレベルとの差Ｉ１４Ｈと、最長記録マークと最長スペースに対する再生信号の振幅Ｉ１４の比（Ｉ１４／Ｉ１４Ｈ）を示す値であり、ＤＶＤ−Ｒ規格書によれば、変調度：０．６０（６０％）以上が要求されている。
しかし、中間バイアス部４１のライトパワーＰｍのみを下げて変調度を小さくすると、再生波形に歪みが生じ、記録・再生におけるジッタの増加、記録マークの読取エラーの増加、エラーレートの増加などの問題が生じる。また、歪んだ再生波形を利用して再生処理を行うと記録データの誤検出の可能性が増加する。さらに、中間バイアス部４１のライトパワーＰｍのみを下げて記録を行うと、ディスク上に形成される記録マークの形状は、トップパルス４０とラストパルス４２に対応する先端部と後端部では幅広で、中間バイアス部４１に対応する中間部分のみ幅が狭くなった形状となり、幅広である先端部と後端部でやはりＬＰＰの形状に悪影響を与えてしまう。
このような不具合を解消するために、中間バイアス部４１のライトパワーＰｍのみでなく、トップパルス４０とラストパルス４２に対応するライトパワーＰｈのレベルも減少させれば、再生波形の歪みを抑えることができる。しかし、前述のようにトップパルス４０とラストパルス４２に対応するライトパワーＰｈは、形成される記録マークの長さに影響を与える。よって、再生波形の歪みを抑制するために、トップパルス４０とラストパルス４２に対応するライトパワーＰｈを小さくすると、記録マークの長さが短くなってしまい、記録データの誤検出が生じる恐れがある。
そこで、本発明の改良型ライトストラテジーでは、トップパルス４０の位置を所定量だけ前方にシフトすること、又は、ラストパルス４２の位置を所定量だけ後方にシフトすることによりトップパルス前端部からラストパルス後端部までの幅Ｔｐを大きくし、記録マークの長さが短くなることを防止することとした。即ち、本発明の改良型ライトストラテジーでは、
（改良点１）：トップパルス４０の位置を所定量だけ前方にシフトする、又は、ラストパルス４２の位置を所定量だけ後方にシフトすること、及び、
（改良点２）：中間バイアス部４１に対応するライトパワーＰｍを減少させること、を同時に行うこととした。
また、上記の２つに加え、必要に応じて、
（改良点３）：トップパルス４０及びラストパルス４２に対応するライトパワーＰｈを小さくすることも併せて行う。
この改良型ライトストラテジーによれば、中間バイアス部４１のライトパワーＰｍを減少させることにより、記録マークの幅の広がりを抑制する。ライトパワーＰｍを減少させると再生波形に歪みが生じるが、トップパルス４０及びラストパルス４２に対応するライトパワーＰｈを必要に応じて減少させてこの歪みを抑制する。また、ライトパワーＰｈを減少させると記録マーク全体の長さが短くなるが、その分、トップパルス４０の位置を前方にシフトするか、又はラストパルス４２の位置を後方へシフトして、形成される記録マークの全体の長さを適正な長さに保つ。以上により、高速記録時において、記録レーザパワーを増加させた場合でも、記録マークの幅が増大することを防止し、かつ、歪みの発生も抑制することができる。
図７に、本発明の改良型ライトストラテジーによる記録パルス波形の例を示す。図７（ａ）は記録データの波形であり、図７（ｂ）は基本ライトストラテジーによる記録パルス波形であり、図７（ｃ）及び図７（ｄ）は改良型ライトストラテジーによる記録パルス波形の例であり、図７（ｅ）はクロック波形である。
図７（ｃ）に示す改良型ライトストラテジーの記録パルス波形は、図７（ｂ）に示す基本ライトストラテジーの記録パルス波形と比較して、トップパルス４０の位置が０．５Ｔだけ前方へシフトしている。なお、このシフト量は単なる一例であり、光ディスクに応じて０．１〜１．５Ｔの間の値を取り得る。また、改良型ライトストラテジーによる中間バイアス部４１のライトパワーＰｍは、基本ライトストラテジーによる記録パルス波形中間バイアス部４１のライトパワーＰｍよりも小さくなっている。更に、改良型ライトストラテジーによるトップパルス４０及びラストパルス４２のライトパワーＰｈは、基本ライトストラテジーによる記録パルス波形のトップパルス４０及びラストパルス４２のライトパワーＰｈよりも小さくなっており、改良型ライトストラテジーによる中間バイアス部４１のライトパワーＰｍの１．１〜２．０倍の間を取り得る。
一方、図７（ｄ）に示す改良型ライトストラテジーによる記録パルス波形例は、図７（ｂ）に示す基本ライトストラテジーによる記録パルス波形例と比較して、ラストパルス４２の位置が０．５Ｔだけ後方にシフトしている。なお、このシフト量は単なる一例であり、光ディスクに応じて０．１〜１．５Ｔの間の値を取り得る。また、中間バイアス部４１のライトパワーＰｍが、基本ライトストラテジーによる記録パルス波形中間バイアス部４１のライトパワーＰｍよりも小さくなっており、更に、記録パルス波形のトップパルス４０及びラストパルス４２のライトパワーＰｈが、基本ライトストラテジーによる記録パルス波形のトップパルス４０及びラストパルス４２のライトパワーＰｈよりも小さくなっており、改良型ライトストラテジーによる中間バイアス部４１のライトパワーＰｍの１．１〜２．０倍の間を取り得ることは、図７（ｃ）に示す記録パルス波形例と同様である。
なお、本発明の改良型ライトストラテジーでは、トップパルス４０及びラストパルス４２に対応するライトパワーＰｈを減少させること（即ち、改良点３）は必須ではない。基本的には、中間バイアス部４１のライトパワーＰｍを下げる量が大きい場合には、それに応じてライトパワーＰｈをある程度下げないと信号波形の歪みが大きくなってしまうという事実がある。本発明においては、ライトパワーＰｈを下げるか否か、又は、下げる場合にどの程度下げるかは、改良点１によりトップパルス又はラストパルスをシフトさせる量、及び、改良点２により中間バイアス部のライトパワーＰｍを減少させる量に依存して決定されることになる。
図８に、本発明の改良型ライトストラテジーによる記録データ３Ｔ〜１１Ｔ及び１４Ｔに対応する記録パルス波形を示す。なお、比較のため、同記録速度における基本ライトストラテジーによる３Ｔ〜１１Ｔ及び１４Ｔの記録パルス波形を破線で示している。なお、本改良型ライトストラテジーによれば、３Ｔと４Ｔの記録データに対する記録パルス波形が中間バイアス部を持たないが、中間バイアス部を設けても良い。また、高速記録時の速度が高まる（例えば６倍速、８倍速、．．）に従って、より長い記録データ（例えば５Ｔ、６Ｔ、．．）に対する記録パルス波形まで、中間バイアス部を有しない波形としても良い。
なお、図７に示した例では、７Ｔの記録マークに対応する記録パルス波形において０．５Ｔだけトップパルスを前方にシフトしているが、このシフト量は単なる一例であり、上述したように光ディスクに応じて０．１〜１．５Ｔの間の値を取り得る。但し、トップパルス４０の位置を前方にシフトする場合でも、トップパルスの前エッジが記録データの前エッジより前方に位置することはない。また、図８に示した３Ｔ〜１１Ｔ及び１４Ｔの記録パルス波形においては、トップパルスのシフト量は同一であるが、各記録パルスの長さに応じて同一の割合でトップパルスをシフトさせてもよい。
次に、図９を参照して、改良型ライトストラテジーにより得られる特性を、基本ライトストラテジーを利用した比較例により得られる特性と比較して検討する。図９（ａ）〜（ｄ）に示した特性グラフにおいて、ＳＴＧ１は図７（ｂ）に例示する基本ライトストラテジーによる記録パルス波形を使用した場合の特性を示す。ＳＴＧ２は同じ基本ライトストラテジーによる記録パルス波形において、中間バイアス部４１のライトパワーＰｍを低下させ、トップパルス４０及びラストパルス４２のパルス幅を長くした比較例の特性である。ＳＴＧ３は同じ基本ライトストラテジーによる記録パルス波形において、中間バイアス部４１のライトパワーＰｍをＳＴＧ２の場合よりさらに低下させ、トップパルス４０及びラストパルス４２のパルス幅をＳＴＧ２の場合よりさらに長くした比較例の特性である。
一方、ＳＴＧ４は、図７（ｃ）に例示する改良型ライトストラテジーによる記録パルス波形であり、トップパルス４０の位置を０．５Ｔだけ前方にシフトするとともに中間バイアス部４１のライトパワーＰｍを低下させた場合の特性である。また、ＳＴＧ５は同じく改良型ライトストラテジーによる記録パルス波形であるが、トップパルス４０の位置を１．０Ｔだけ前方にシフトし、中間バイアス部４１のライトパワーＰｍをＳＴＧ４の場合よりさらに低下させた場合の特性である。
図９（ａ）及び図９（ｂ）では、横軸は中間バイアス部のライトパワーＰｍを示し、縦軸は変調度（Ｍｏｄｕｌａｔｉｏｎ）を示している。また、図９（ｃ）及び図９（ｄ）では、横軸は同じく中間バイアス部のライトパワーＰｍを示し、縦軸はＡＲを示している。ＡＲ（Ａｐｅｒｔｕｒｅ  Ｒａｔｉｏ  ａｆｔｅｒ  ｒｅｃｏｒｄｉｎｇ）は、図１０に示すように、記録後におけるプッシュプル信号に現れるＬＰＰ信号の最大値ＡＰ（ｍａｘ）と最小値ＡＰ（ｍｉｎ）との比（ＡＰ（ｍａｘ）／ＡＰ（ｍｉｎ））であり、ＬＰＰの品質を示す値である。このＡＲの値が大きいほど、形成される記録マークが隣接するランド上のＬＰＰに影響を与えることが小さいことを意味する。ＤＶＤ−Ｒディスクの規格書によれば、ＡＲ＞１５％が要求されており、ＤＶＤ−ＲＷディスクの規格書によれば、ＡＲ＞１０％が要求されている。
図９（ａ）と図９（ｂ）を比較するとわかるように、改良型ライトストラテジーによる特性ＳＴＧ４及びＳＴＧ５では、中間バイアス部のライトパワーＰｍを低下させると、それに応じて変調度が低下している。これに対し、比較例の特性ＳＴＧ２及びＳＴＧ３では、改良型ライトストラテジーの場合に比べて、中間バイアス部のライトパワーＰｍの低下に対する変調度の減少度合いが小さい。即ち、改良型ライトストラテジーの方が、中間バイアス部のライトパワーＰｍの低下により、効果的に変調度を減少させることができる。
次に、図９（ｃ）と図９（ｄ）を比較するとわかるように、改良型ライトストラテジーによる特性ＳＴＧ４及びＳＴＧ５では、中間バイアス部のライトパワーＰｍを減少させると、ＡＲの値は顕著に増加する。これに対して、比較例の特性ＳＴＧ２及びＳＴＧ３では、中間バイアス部のライトパワーＰｍを減少させても、歪みが増加してしまい、ＡＲ値はあまり増加しない。よって、改良型ライトストラテジーにおける、中間バイアス部のライトパワーＰｍの減少の方が、より効果的にＡＲ値の増加に寄与し、形成される記録マークがランドトラック上のＬＰＰに影響を与えることが防止できる。
図１１に、上記比較例の場合と、改良型ライトストラテジーの場合の再生信号波形例を示す。図１１（ａ）は比較のために基本ライトストラテジー（ＳＴＧ１）で記録した場合の再生信号波形を示し、図１１（ｂ）は上記比較例（ＳＴＧ３）により記録したマークの再生信号波形例を示し、図１１（ｃ）は本願の改良型ライトストラテジー（ＳＴＧ５）により記録したマークの再生信号波形例を示す。各図の特に符号１１０の付近の波形に注目すると、図１１（ａ）に示す再生信号波形では、３Ｔ〜１１Ｔ及び１４Ｔに対応する各波形の下端レベルが揃っているが、変調度が大きくＬＰＰに与える影響が大きい。図１１（ｂ）に示す比較例の場合の再生信号波形では、図１１（ａ）と比較して変調度が小さくなっているが、波形の下端レベルが揃っておらず、７〜８Ｔより長い記録マークの中央部に対応する再生信号波形の下端レベルが高くなり波形が歪んでしまっている。これは、長い記録マークがひょうたんのように、その中央部がくびれて形成されていることによる。一方、図１１（ｃ）に示す改良型ライトストラテジーの再生信号波形例は、図１１（ａ）と比較して変調度が小さくなっており、各記録マークの再生信号波形の下端が揃っている。
以上説明したように、本発明の改良型ライトストラテジーでは、（１）トップパルスの位置を前方にシフトするか、又はラストパルスの位置を後方にシフトすること、及び、（２）シフト量に応じてトップパルスのライトパワーＰｈ及び中間バイアス部のライトパワーＰｍを低下させることにより、再生信号波形に歪みを生じさせることなく、形成される記録マークの幅の増大を抑制することができる。
［他の適用例］
上に説明した改良型ライトストラテジーは、図５に示すような基本ライトストラテジーを基礎としていた。しかし、本発明の改良型ライトストラテジーの考え方は、図１５に示した従来型のライトストラテジーにも同様に適用することが可能である。
本発明の改良型ライトストラテジーの考え方を従来型のライトストラテジーに適用した場合の適用例を図１２及び図１３に示す。図１２（ａ）は記録データ波形を示し、図１２（ｂ）はトップパルスとパルストレインにより構成される従来型ライトストラテジーの改良前の記録パルス波形を示し、図１２（ｃ）は本発明の改良型ライトストラテジーの考え方を従来型ライトストラテジーに適用した場合の記録パルス波形例を示す。図１２（ｂ）と図１２（ｃ）を比較するとわかるように、本発明を適用した記録パルス波形では、トップパルス７０の位置が０．５Ｔだけ前方にシフトしている。また、パルストレイン７２を構成する各パルス７１のパルス幅が減少している。なお、かかるパルストレイン７２のデューティ比（パルス７１の幅／パルス７１の周期）としては、ディスクに応じて０．３〜０．９の間の値を取り得る。これは、前述の基本ライトストラテジーにおいて中間バイアス部のレベルを低下させることと等価である。
また、図１３に示す例でも、図１３（ａ）は記録データ波形を示し、図１３（ｂ）はトップパルスとパルストレインにより構成される従来型ライトストラテジーの改良前の記録パルス波形を示し、図１３（ｃ）は本発明の改良型ライトストラテジーの考え方を従来型ライトストラテジーに適用した場合の記録パルス波形例を示す。
図１２に示した例で、トップパルス７０のみを前方にシフトし、パルストレイン７２を構成するパルス７１の位置は移動させなかったが、図１３に示す例ではパルストレイン７２を構成する各パルス７１を、トップパルス７０のシフト量に応じて均等に移動させている。即ち、トップパルス７０の移動により記録パルス全体の時間幅が増加した割合に応じて、各パルス７１の位置をシフトしている。また、図１２（ｃ）と同様に、パルストレイン７２を構成する各パルス７１のパルス幅が減少している。これは、前述の基本ライトストラテジーにおいて中間バイアス部のレベルを低下させることと等価である。
図１２（ｃ）及び図１３（ｃ）に示す例によっても、図７（ｃ）などに示す改良型ライトストラテジーと同様の効果を得ることができる。
なお、本発明は、上述の実施形態に限定されるものではない。例えば、図７（ｃ）によれば、トップパルスの位置を所定量だけ前方にシフトし、また図７（ｄ）によれば、ラストパルスの位置を所定量だけ後方にシフトするようにしたが、トップパルスの位置とラストパルスの両方を夫々前方および後方にシフトし、記録マークの長さが所望となるようにしても良い。
また、図１４（ｂ）に示すように、基本ライトストラテジーのトップパルス４０の位置が図７（ｂ）に示す基本ライトストラテジーのトップパルス４０の位置に対して０．５Ｔ後方にある場合、図１４（ｃ）に示す改良型ライトストラテジーのトップパルス４０の位置は、図１４（ｂ）に示す基本ライトストラテジーのトップパルスと比較して、光ディスクに応じて、前方へ０．１Ｔ〜２．０Ｔの間でシフトすることができる。この場合においても、改良型ライトストラテジーによる中間バイアス部４１のライトパワーＰｍは、基本ライトストラテジーによる記録パルス波形中間バイアス部４１のライトパワーＰｍよりも小さくなっている。更に、改良型ライトストラテジーによるトップパルス４０及びラストパルス４２のライトパワーＰｈは、基本ライトストラテジーによる記録パルス波形のトップパルス４０及びラストパルス４２のライトパワーＰｈよりも小さくなっており、改良型ライトストラテジーによる中間バイアス部４１のライトパワーＰｍの１．１〜２．０倍の間を取り得る。一方、図１４（ｄ）に示す改良型ライトストラテジーによる記録パルス波形は、図１４（ｂ）に示す基本ライトストラテジーによる記録パルス波形例と比較して、ラストパルス４２の位置を０．１Ｔ〜２．０Ｔ後方にシフトさせた状態を示すものであり、その詳細な説明を省略する。
また、上述の実施例によれば、ラストパルス４２を備える記録パルス信号であったが、ラストパルス４２を備えない記録パルス信号に本発明を適用することもできる。
以上説明したように、本発明の改良型ライトストラテジーによれば、トップパルス、中間バイアス部及びラストパルスにより構成される記録パルス信号において、トップパルスの位置を前方にシフトするかラストパルスの位置を後方へシフトさせることにより、再生信号波形に歪みを生じさせることなく、形成される記録マークの幅の増大を抑制することができる。よって、記録トラックに隣接するランドトラック上のＬＰＰを記録マークにより変形させたり、つぶしたりすることが防止できる。また、再生信号波形の歪みを生じさせないので、ジッタや記録マークの読取エラーなどを防止することができる。
また、トップパルス及びパルストレインにより構成される記録パルス波形に対して、同様の改良を適用し、トップパルスの位置を前方にシフトすることによっても、同様の効果を得ることができる。
産業上の利用可能性
本発明に係る情報記録装置および情報記録方法は、レーザ光線などを利用して光ディスクの情報を記録する際に利用することができる。
【図面の簡単な説明】
図１は、本発明を適用した情報記録再生装置の概略構成を示すブロック図である。
図２は、図１に示す記録制御部の構成を示すブロック図である。
図３は、図２に示すＬＤドライバの構成を示す図である。
図４は、レーザダイオードに与えられる駆動電流と出力パワーとの関係を示すグラフである。
図５は、基本ライトストラテジーによる記録パルス波形の例を示す波形図である。
図６は、基本ライトストラテジーによる３Ｔ〜１１Ｔ、１４Ｔの長さの記録パルス波形を示す波形図である。
図７は、本発明の改良型ライトストラテジーによる記録パルス波形の例を示す波形図である。
図８は、本発明の改良型ライトストラテジーによる３Ｔ〜１１Ｔ、１４Ｔの長さの記録パルス波形を示す波形図である。
図９は、本発明の改良型ライトストラテジーによる特性を、比較例の特性との比較において示す。
図１０は、ＡＲの説明に供する図である。
図１１は、本発明の改良型ライトストラテジーによる再生信号波形を、比較例の再生信号波形との比較において示す。
図１２は、本発明の改良型ライトストラテジーを従来型のライトストラテジーに適用した例を示す。
図１３は、本発明の改良型ライトストラテジーを従来型のライトストラテジーに適用した例を示す。
図１４は、本発明の改良型ライトストラテジーによる記録パルス波形の他の例を示す波形図である。
図１５は、従来のライトストラテジーによる記録パルス波形の例を示す。
【図１】
2003107332.tif 000003
【図２】
2003107332.tif 000004
【図３】
2003107332.tif 000005
【図４】
2003107332.tif 000006
【図５】
2003107332.tif 000007
【図６】
2003107332.tif 000008
【図７】
2003107332.tif 000009
【図８】
2003107332.tif 000010
【図９】
2003107332.tif 000011
【図１０】
2003107332.tif 000012
【図１１】
2003107332.tif 000013
【図１２】
2003107332.tif 000014
【図１３】
2003107332.tif 000015
【図１４】
2003107332.tif 000016
【図１５】
2003107332.tif 000017
【手続補正書】
【提出日】平成16年12月14日(2004.12.14)
【手続補正１】
【補正対象書類名】特許請求の範囲
【補正対象項目名】全文
【補正方法】変更
【補正の内容】
【特許請求の範囲】
【請求項１】
記録媒体にレーザ光を照射して、記録信号に応じた記録マークを形成する情報記録装置において、
前記記録媒体を少なくとも第１の回転速度と該第１の速度より速い第２の回転速度で回転駆動する駆動源と、
前記レーザ光を出射する光源と、
前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成手段と、
前記記録パルス信号に基づいて前記光源を制御することにより、前記記録媒体上にレーザパルスを照射する制御手段と、を備え、
前記第２の振幅は前記第１の振幅より小さく、前記中間バイアス部は前記トップパルスに時間的に連続しており、前記ラストパルスは前記中間バイアス部に時間的に連続しており、
前記信号生成手段は、前記記録媒体が前記第２の回転速度で回転駆動されるとき、前記トップパルスの位置を前記記録媒体が前記第１の回転速度で回転駆動されるときの前記トップパルスの位置より前方にシフトさせるとともに、前記第１及び第２の振幅を前記記録媒体が前記第１の回転速度で回転駆動されるときの前記第１及び第２の振幅より小さくすることを特徴とする情報記録装置。
【請求項２】
前記トップパルスのシフト量は、０．１〜２．０Ｔの間の値であることを特徴とする請求項１に記載の情報記録装置。
【請求項３】
前記信号生成手段は、前記記録媒体が前記第２の回転速度で回転駆動されるとき、前記第１の振幅を、前記第２の振幅の１．１〜２．０倍の間の値とすることを特徴とする請求項１に記載の情報記録装置。
【請求項４】
前記信号生成手段は、前記トップパルスの位置をシフトさせることにより、前記トップパルスの始端部から前記ラストパルスの終端部までのパルス幅を増加させることを特徴とする請求項１に記載の情報記録装置。
【請求項５】
記録媒体にレーザ光を照射して、記録信号に応じた記録マークを形成する情報記録装置において、
前記記録媒体を少なくとも第１の回転速度と該第１の速度より速い第２の回転速度で回転駆動する駆動源と、
前記レーザ光を出射する光源と、
前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成手段と、
前記記録パルス信号に基づいて前記光源を制御することにより、前記記録媒体上にレーザパルスを照射する制御手段と、を備え、
前記第２の振幅は前記第１の振幅より小さく、前記中間バイアス部は前記トップパルスに時間的に連続しており、前記ラストパルスは前記中間バイアス部に時間的に連続しており、
前記信号生成手段は、前記記録媒体が前記第２の回転速度で回転駆動されるとき、前記ラストパルスの位置を前記記録媒体が前記第１の回転速度で回転駆動されるときの前記ラストパルスの位置より後方にシフトさせるとともに、前記第１及び第２の振幅を前記記録媒体が前記第１の回転速度で回転駆動されるときの前記第１及び第２の振幅より小さくすることを特徴とする情報記録装置。
【請求項６】
前記ラストパルスのシフト量は、０．１〜２．０Ｔの間の値であることを特徴とする請求項５に記載の情報記録装置。
【請求項７】
前記信号生成手段は、前記記録媒体が前記第２の回転速度で回転駆動されるとき、前記第１の振幅を、前記第２の振幅の１．１〜２．０倍の間の値とすることを特徴とする請求項５に記載の情報記録装置。
【請求項８】
前記信号生成手段は、前記ラストパルスの位置をシフトさせることにより、前記トップパルスの始端部から前記ラストパルスの終端部までのパルス幅を増加させることを特徴とする請求項５に記載の情報記録装置。
【請求項９】
記録媒体にレーザ光を照射して、記録信号に応じた記録マークを形成する情報記録装置において、
前記記録媒体を少なくとも第１の回転速度と該第１の速度より速い第２の回転速度で回転駆動する駆動源と、
前記レーザ光を出射する光源と、
前記記録信号に基づき、前端部に位置し第１の振幅を有するトップパルスと、１つ又は複数のパルスにより構成されるとともに前記トップパルスに続くパルス列部とを含む記録パルス信号を生成する信号生成手段と、
前記記録パルス信号に基づいて前記光源を制御することにより、前記記録媒体上にレーザパルスを照射する制御手段と、を備え、
前記信号生成手段は、前記記録媒体が前記第２の回転速度で回転駆動されるとき、前記トップパルスの位置を前記記録媒体が前記第１の回転速度で回転駆動されるときの前記トップパルスの位置より前方にシフトさせるとともに、前記パルス列部の各パルスの幅を前記記録媒体が前記第１の回転速度で回転駆動されるときの前記パルス列部の各パルスの幅より小さくすることを特徴とする情報記録装置。
【請求項１０】
前記トップパルスのシフト量は、０．１〜１．５Ｔの間の値であることを特徴とする請求項９に記載の情報記録装置。
【請求項１１】
前記信号生成手段は、前記記録媒体が前記第２の回転速度で回転駆動されるとき、前記パルス列部のデューティ比を０．３〜０．９の間の値とすることを特徴とする請求項９に記載の情報記録装置。
【請求項１２】
光源からのレーザ光を記録媒体に照射して、記録信号に応じた記録マークを形成する情報記録方法において、
前記記録媒体を少なくとも第１の回転速度と該第１の速度より速い第２の回転速度で回転駆動する駆動工程と、
前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成工程と、
前記記録パルス信号に基づいて前記光源を制御することにより、前記記録媒体上にレーザパルスを照射する制御工程と、を備え、
前記第２の振幅は前記第１の振幅より小さく、前記中間バイアス部は前記トップパルスに時間的に連続しており、前記ラストパルスは前記中間バイアス部に時間的に連続しており、
前記信号生成工程は、前記記録媒体が前記第２の回転速度で回転駆動されるとき、前記トップパルスの位置を前記記録媒体が前記第１の回転速度で回転駆動されるときの前記トップパルスの位置より前方にシフトさせるとともに、前記第１及び第２の振幅を前記記録媒体が前記第１の回転速度で回転駆動されるときの前記第１及び第２の振幅より小さくすることを特徴とする情報記録方法。
【請求項１３】
前記信号生成工程は、前記トップパルスの位置をシフトさせることにより、前記トップパルスの始端部から前記ラストパルスの終端部までのパルス幅を増加させることを特徴とする請求項１２に記載の情報記録方法。
【請求項１４】
光源からのレーザ光を記録媒体に照射して、記録信号に応じた記録マークを形成する情報記録方法において、
前記記録媒体を少なくとも第１の回転速度と該第１の速度より速い第２の回転速度で回転駆動する駆動工程と、
前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成工程と、
前記記録パルス信号に基づいて前記光源を制御することにより、前記記録媒体上にレーザパルスを照射する制御工程と、を備え、
前記第２の振幅は前記第１の振幅より小さく、前記中間バイアス部は前記トップパルスに時間的に連続しており、前記ラストパルスは前記中間バイアス部に時間的に連続しており、
前記信号生成工程は、前記記録媒体が前記第２の回転速度で回転駆動されるとき、前記ラストパルスの位置を前記記録媒体が前記第１の回転速度で回転駆動されるときの前記ラストパルスの位置より後方にシフトさせるとともに、前記第１及び第２の振幅を前記記録媒体が前記第１の回転速度で回転駆動されるときの前記第１及び第２の振幅より小さくすることを特徴とする情報記録方法。
【請求項１５】
前記信号生成工程は、前記ラストパルスの位置をシフトさせることにより、前記トップパルスの始端部から前記ラストパルスの終端部までのパルス幅を増加させることを特徴とする請求項１４に記載の情報記録方法。
【請求項１６】
光源からのレーザ光を記録媒体に照射して、記録信号に応じた記録マークを形成する情報記録方法において、
前記記録媒体を少なくとも第１の回転速度と該第１の速度より速い第２の回転速度で回転駆動する駆動工程と、
前記記録信号に基づき、前端部に位置し第１の振幅を有するトップパルスと、１つ又は複数のパルスにより構成されるとともに前記トップパルスに続くパルス列部とを含む記録パルス信号を生成する信号生成工程と、
前記記録パルス信号に基づいて前記光源を制御することにより、前記記録媒体上にレーザパルスを照射する制御工程と、を備え、
前記信号生成工程は、前記記録媒体が前記第２の回転速度で回転駆動されるとき、前記トップパルスの位置を前記記録媒体が前記第１の回転速度で回転駆動されるときの前記トップパルスの位置より前方にシフトさせるとともに、前記パルス列部の各パルスの幅を前記記録媒体が前記第１の回転速度で回転駆動されるときの前記パルス列部の各パルスの幅より小さくすることを特徴とする情報記録方法。
【手続補正２】
【補正対象書類名】明細書
【補正対象項目名】全文
【補正方法】変更
【補正の内容】
【発明の詳細な説明】
【技術分野】
【０００１】
本発明は、レーザ光線などを利用して光ディスクに情報を記録する技術に属する。
【背景技術】
【０００２】
ＤＶＤ−Ｒ（DVD-Recordable）、ＤＶＤ−ＲＷ（DVD-Re-recordable）などの書き込み又は書き換え可能な光ディスクには、ディスクの記録面上にレーザ光を照射して情報を記録する。光ディスクの記録面上のレーザ光が照射された部分は、温度が上昇するために光ディスクを構成する光記録媒体に変化が生じ、これにより記録マークが記録面上に形成される。
【０００３】
よって、記録すべき情報に応じた時間幅を有する記録パルスでレーザ光を変調して記録すべき信号に応じた長さのレーザパルスを生成し、これを光ディスクに照射することにより、記録すべき情報に応じた長さの記録マークを光ディスク上に形成することができる。
【０００４】
一方、最近では１つの記録マークを１つのレーザパルスで形成するのではなく、複数の短いパルスを含むパルス列部（パルストレインとも呼ばれる）により記録マークを形成するレーザパワーの制御手法が利用されている。このような手法はライトストラテジーとも呼ばれ、単一の記録パルスを照射する方法に比べて、光ディスクの記録面上における熱蓄積が減少するので、記録マークが形成される記録面上の温度分布を均一化することができる。その結果、記録マークが涙滴形状となることを防止して好ましい形状の記録マークを形成することができる。
【０００５】
上記の記録パルス列は、所定のリード（読取）パワーレベルとライト（書き込み又は記録）パワーレベルとの間で振幅が変動する複数のパルスにより構成されている。即ち、記録信号に従って、記録マークを形成しない光ディスクの記録面上の領域（以下、「スペース部」とも呼ぶ。）ではリードパワーでレーザ光が記録面上に照射され、記録マークを形成すべき光ディスクの記録面上の領域（以下、「マーク部」とも呼ぶ。）では、リードパワーとライトパワーの間で振幅が変化する記録パルス列に応じたパワーでレーザ光が記録面上に照射され、それにより記録マークが記録面上に形成される。
【０００６】
上述のライトストラテジーによる記録パルス波形の一例を図１５に示す。図１５の例は記録データのうち７Ｔのマークを記録する部分の記録パルス波形である。図示のように、記録パルスは、１つのトップパルス９０と、それに続く複数のパルス９１からなるパルストレイン（「マルチパルス」とも呼ばれる）９２により構成される。トップパルス９０は例えば１．５Ｔのパルス幅を有し、それに続くパルストレイン９２の各パルス９１は例えば０．５Ｔのパルス幅を有する。トップパルス９０及びパルストレイン９２はともにライトパワーＰwとリードパワーＰrの２値の間で振幅が変化するパルスである。
【０００７】
トップパルス９０は、マークの記録のために光ディスクの記録面を予熱及びマーク始端部を形成する役割を有し、１．５Ｔのパルス幅のトップパルス９０に対応する記録レーザを照射することにより、光ディスクの記録面を融点まで導く。その後、それに続くパルストレイン９２により所望の長さのマークを記録面に形成する。パルストレイン９２は例えばパルス幅０．５Ｔの複数のパルス９１（オン期間及びオフ期間を含む１周期は１Ｔ）の連続により構成される。これにより、光ディスクの記録面は、０．５Ｔのレーザ照射、０．５Ｔの急冷、０．５Ｔのレーザ照射、..．が繰り返され、形成されるマークの長さが制御される。
【０００８】
図１５に例示する記録パルス波形を使用する方法では、記録すべきマーク長をｎとすると、記録パルスは１つのトップパルス９０と、（ｎ−３）個のパルス９１を含むパルストレイン９２とにより構成される。記録すべきマーク長に応じて、上述のような記録パルスを生成して記録レーザを駆動することにより、光ディスクの記録面上に所望の長さのマーク記録が行われる。
【０００９】
近年、ＤＶＤ−Ｒドライブなどのコンピュータ周辺機器においては、高速転送レートが要望されている。高速転送レートを得るためには、ディスク回転速度（線速度）を上げる必要があり、これに伴って記録時のレーザパワーも引き上げる必要がある。
【００１０】
しかし、図１５の例をはじめとする各種記録方法では、一般的に記録レーザパワーの引き上げに伴って記録マークの幅が広がってしまう。記録マークの幅が広がってしまうと、以下のような問題が生じる。
【００１１】
ＤＶＤ−Ｒディスクにおいては、記録トラック（グルーブ）は一定の周波数でウォブリングされ、また記録トラックの間のランドトラックにはランドプリピット（Land Pre-Pit:以下、「ＬＰＰ」という。）と呼ばれるアドレスピットが形成されている。このウォブリングとＬＰＰにより、記録中のディスク回転制御や記録クロックの生成、また記録アドレス等のデータ記録に必要な情報を得ることができるようになっている。しかし、記録マークの幅が広がってしまうと、記録マークがランドやＬＰＰ上の記録膜にまで及び、ＬＰＰを変形させたり、つぶしてしまったりする場合がある。その結果、記録再生装置がＬＰＰを検出できなくなり、ディスクに対する記録・再生が不可能となってしまう。
【００１２】
また、ＤＶＤ＋Ｒと呼ばれるタイプのディスクでは、記録マークの幅が広がってしまうと、ウォブル信号の記録信号への漏れ込みが生じ、信号品質を悪化させると共に、ウォブル信号に変調されているアドレス信号が読み出されなくなってしまう。
【発明の開示】
【発明が解決しようとする課題】
【００１３】
本発明は、高速記録時においても適切な形状のマークを記録することが可能な情報記録装置及び情報記録方法を提供することを課題とする。
【００１４】
本発明の１つの観点によれば、記録媒体にレーザ光を照射して、記録信号に応じた記録マークを形成する情報記録装置において、前記記録媒体を少なくとも第１の回転速度と該第１の速度より速い第２の回転速度で回転駆動する駆動源と、前記レーザ光を出射する光源と、前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成手段と、前記記録パルス信号に基づいて前記光源を制御することにより、前記記録媒体上にレーザパルスを照射する制御手段と、を備え、前記第２の振幅は前記第１の振幅より小さく、前記中間バイアス部は前記トップパルスに時間的に連続しており、前記ラストパルスは前記中間バイアス部に時間的に連続しており、前記信号生成手段は、前記記録媒体が前記第２の回転速度で回転駆動されるとき、前記トップパルスの位置を前記記録媒体が前記第１の回転速度で回転駆動されるときの前記トップパルスの位置より前方にシフトさせるとともに、前記第１及び第２の振幅を前記記録媒体が前記第１の回転速度で回転駆動されるときの前記第１及び第２の振幅より小さくする。
【００１５】
また、同様の観点によれば、光源からのレーザ光を記録媒体に照射して、記録信号に応じた記録マークを形成する情報記録方法において、前記記録媒体を少なくとも第１の回転速度と該第１の速度より速い第２の回転速度で回転駆動する駆動工程と、前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成工程と、前記記録パルス信号に基づいて前記光源を制御することにより、前記記録媒体上にレーザパルスを照射する制御工程と、を備え、前記第２の振幅は前記第１の振幅より小さく、前記中間バイアス部は前記トップパルスに時間的に連続しており、前記ラストパルスは前記中間バイアス部に時間的に連続しており、前記信号生成工程は、前記記録媒体が前記第２の回転速度で回転駆動されるとき、前記トップパルスの位置を前記記録媒体が前記第１の回転速度で回転駆動されるときの前記トップパルスの位置より前方にシフトさせるとともに、前記第１及び第２の振幅を前記記録媒体が前記第１の回転速度で回転駆動されるときの前記第１及び第２の振幅より小さくする。
【００１６】
上記の情報記録装置及び方法によれば、例えばＤＶＤ−Ｒなどの記録媒体に対して、レーザ光を照射して記録マークを形成することにより情報を記録する。この際、少なくとも２種類の速度で記録を行うことができ、第１の記録速度で記録を行う際には記録媒体は第１の回転速度で回転駆動され、それより速い第２の記録速度で記録を行う際には記録媒体は第２の回転速度で回転駆動される。記録信号に基づいて生成される記録パルス信号は、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む。第２の振幅は第１の振幅より小さく、中間バイアス部はトップパルスに時間的に連続しており、ラストパルスは中間バイアス部に時間的に連続している。生成された記録パルス信号に基づいて光源が制御され、レーザパルスが記録媒体に照射されることにより、記録信号に対応する記録マークが記録媒体上に形成される。
【００１７】
ここで、記録パルス信号の生成処理においては、記録媒体が第２の回転速度で回転駆動されるときには、トップパルスの位置を記録媒体が前記第１の回転速度で回転駆動されるときのトップパルスの位置より前方にシフトさせるとともに、前記第１及び第２の振幅を前記記録媒体が前記第１の回転速度で回転駆動されるときの前記第１及び第２の振幅より小さくする。第１の回転速度より高速の第２の回転速度で記録媒体が駆動される高速記録時において、トップパルスの位置を前方にシフトすることにより、記録媒体上に形成される記録マークが短くなることを防止することができる。その結果、高速記録時においても適切な形状の記録マークを形成することができる。
【００１８】
上記の情報記録装置及び方法においては、前記トップパルスのシフト量は、０．１〜２．０Ｔの間の値であることが好ましい。また、前記信号生成手段又は工程は、前記トップパルスの位置をシフトさせることにより、前記トップパルスの始端部から前記ラストパルスの終端部までのパルス幅を増加させる。
【００１９】
上記の情報記録装置及び方法の他の一態様では、前記信号生成手段は、前記第１の振幅を、前記第２の振幅の１．１〜２．０倍の間の値とすることが好ましい。
【００２０】
本発明の他の観点によれば、記録媒体にレーザ光を照射して、記録信号に応じた記録マークを形成する情報記録装置において、前記記録媒体を少なくとも第１の回転速度と該第１の速度より速い第２の回転速度で回転駆動する駆動源と、前記レーザ光を出射する光源と、前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成手段と、前記記録パルス信号に基づいて前記光源を制御することにより、前記記録媒体上にレーザパルスを照射する制御手段と、を備え、前記第２の振幅は前記第１の振幅より小さく、前記中間バイアス部は前記トップパルスに時間的に連続しており、前記ラストパルスは前記中間バイアス部に時間的に連続しており、前記信号生成手段は、前記記録媒体が前記第２の回転速度で回転駆動されるとき、前記ラストパルスの位置を前記記録媒体が前記第１の回転速度で回転駆動されるときの前記ラストパルスの位置より後方にシフトさせるとともに、前記第１及び第２の振幅を前記記録媒体が前記第１の回転速度で回転駆動されるときの前記第１及び第２の振幅より小さくする。
【００２１】
また、本発明の同様の観点によれば、光源からのレーザ光を記録媒体に照射して、記録信号に応じた記録マークを形成する情報記録方法において、前記記録媒体を少なくとも第１の回転速度と該第１の速度より速い第２の回転速度で回転駆動する駆動工程と、前記記録信号に基づき、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む記録パルス信号を生成する信号生成工程と、前記記録パルス信号に基づいて前記光源を制御することにより、前記記録媒体上にレーザパルスを照射する制御工程と、を備え、前記第２の振幅は前記第１の振幅より小さく、前記中間バイアス部は前記トップパルスに時間的に連続しており、前記ラストパルスは前記中間バイアス部に時間的に連続しており、前記信号生成工程は、前記記録媒体が前記第２の回転速度で回転駆動されるとき、前記ラストパルスの位置を前記記録媒体が前記第１の回転速度で回転駆動されるときの前記ラストパルスの位置より後方にシフトさせるとともに、前記第１及び第２の振幅を前記記録媒体が前記第１の回転速度で回転駆動されるときの前記第１及び第２の振幅より小さくする。
【００２２】
上記の情報記録装置及び方法によれば、例えばＤＶＤ−Ｒなどの記録媒体に対して、レーザ光を照射して記録マークを形成することにより情報を記録する。この際、少なくとも２種類の速度で記録を行うことができ、第１の記録速度で記録を行う際には記録媒体は第１の回転速度で回転駆動され、それより速い第２の記録速度で記録を行う際には記録媒体は第２の回転速度で回転駆動される。記録信号に基づいて生成される記録パルス信号は、前端部に位置し第１の振幅を有するトップパルスと、後端部に位置し前記第１の振幅を有するラストパルスと、前記トップパルスと前記ラストパルスの間に位置し第２の振幅を有する中間バイアス部とを含む。第２の振幅は第１の振幅より小さく、中間バイアス部はトップパルスに時間的に連続しており、ラストパルスは中間バイアス部に時間的に連続している。生成された記録パルス信号に基づいて光源が制御され、レーザパルスが記録媒体に照射されることにより、記録信号に対応する記録マークが記録媒体上に形成される。
【００２３】
ここで、記録パルス信号の生成処理においては、記録媒体が前記第２の回転速度で回転駆動されるときには、ラストパルスの位置を記録媒体が前記第１の回転速度で回転駆動されるときのラストパルスの位置より後方にシフトさせるとともに、前記第１及び第２の振幅を前記記録媒体が前記第１の回転速度で回転駆動されるときの前記第１及び第２の振幅より小さくする。第１の回転速度より高速の第２の回転速度で記録媒体が駆動される高速記録時において、ラストパルスの位置を後方にシフトすることにより、記録媒体上に形成される記録マークが短くなることを防止することができる。その結果、高速記録時においても適切な形状の記録マークを形成することができる。
【００２４】
上記の情報記録装置及び方法においては、前記ラストパルスのシフト量は、０．１〜２．０Ｔの間の値であることが好ましい。また、前記信号生成手段又は工程は、前記ラストパルスの位置をシフトさせることにより、前記トップパルスの始端部から前記ラストパルスの終端部までのパルス幅を増加させる。
【００２５】
上記の情報記録装置及び方法の他の一態様では、前記信号生成手段は、前記第１の振幅を、前記第２の振幅の１．１〜２．０倍の間の値とすることが好ましい。
【００２６】
本発明のさらに他の観点では、記録媒体にレーザ光を照射して、記録信号に応じた記録マークを形成する情報記録装置において、前記記録媒体を少なくとも第１の回転速度と該第１の速度より速い第２の回転速度で回転駆動する駆動源と、前記レーザ光を出射する光源と、前記記録信号に基づき、前端部に位置し第１の振幅を有するトップパルスと、１つ又は複数のパルスにより構成されるとともに前記トップパルスに続くパルス列部とを含む記録パルス信号を生成する信号生成手段と、前記記録パルス信号に基づいて前記光源を制御することにより、前記記録媒体上にレーザパルスを照射する制御手段と、を備え、前記信号生成手段は、前記記録媒体が前記第２の回転速度で回転駆動されるとき、前記トップパルスの位置を前記記録媒体が前記第１の回転速度で回転駆動されるときの前記トップパルスの位置より前方にシフトさせるとともに、前記パルス列部の各パルスの幅を前記記録媒体が前記第１の回転速度で回転駆動されるときの前記パルス列部の各パルスの幅より小さくする。
【００２７】
また、同様の観点では、光源からのレーザ光を記録媒体に照射して、記録信号に応じた記録マークを形成する情報記録方法において、前記記録媒体を少なくとも第１の回転速度と該第１の速度より速い第２の回転速度で回転駆動する駆動工程と、前記記録信号に基づき、前端部に位置し第１の振幅を有するトップパルスと、１つ又は複数のパルスにより構成されるとともに前記トップパルスに続くパルス列部とを含む記録パルス信号を生成する信号生成工程と、前記記録パルス信号に基づいて前記光源を制御することにより、前記記録媒体上にレーザパルスを照射する制御工程と、を備え、前記信号生成工程は、前記記録媒体が前記第２の回転速度で回転駆動されるとき、前記トップパルスの位置を前記記録媒体が前記第１の回転速度で回転駆動されるときの前記トップパルスの位置より前方にシフトさせるとともに、前記パルス列部の各パルスの幅を前記記録媒体が前記第１の回転速度で回転駆動されるときの前記パルス列部の各パルスの幅より小さくする。
【００２８】
上記の情報記録装置及び方法によれば、例えばＤＶＤ−Ｒなどの記録媒体に対して、レーザ光を照射して記録マークを形成することにより情報を記録する。この際、少なくとも２種類の速度で記録を行うことができ、第１の記録速度で記録を行う際には記録媒体は第１の回転速度で回転駆動され、それより速い第２の記録速度で記録を行う際には記録媒体は第２の回転速度で回転駆動される。記録信号に基づいて生成される記録パルス信号は、前端部に位置し第１の振幅を有するトップパルスと、１つ又は複数のパルスにより構成されるとともに前記トップパルスに続くパルス列部とを含む。生成された記録パルス信号に基づいて光源が制御され、レーザパルスが記録媒体に照射されることにより、記録信号に対応する記録マークが記録媒体上に形成される。
【００２９】
ここで、記録パルス信号の生成処理においては、記録媒体が前記第２の回転速度で回転駆動されるときには、トップパルスの位置を記録媒体が前記第１の回転速度で回転駆動されるときのトップパルスの位置より前方にシフトさせるとともに、前記パルス列部の各パルスの幅を前記記録媒体が前記第１の回転速度で回転駆動されるときの前記パルス列部の各パルスの幅より小さくする。第１の回転速度より高速の第２の回転速度で記録媒体が駆動される高速記録時において、トップパルスの位置を前方にシフトすることにより、記録媒体上に形成される記録マークが短くなることを防止することができる。その結果、高速記録時においても適切な形状の記録マークを形成することができる。
【００３０】
上記の情報記録装置及び方法においては、前記ラストパルスのシフト量は、０．１〜１．５Ｔの間の値であることが好ましい。
【００３１】
上記の情報記録装置及び方法の他の一態様では、前記信号生成手段は、前記パルス列部のデューティ比を、０．３〜０．９の間の値とすることが好ましい。
【発明を実施するための最良の形態】
【００３２】
以下、図面を参照して本発明の好適な実施の形態について説明する。
【００３３】
［装置構成］
図１に、本発明の実施形態にかかる情報記録再生装置の全体構成を概略的に示す。情報記録再生装置１は、光ディスクＤに情報を記録し、また、光ディスクＤから情報を再生するための装置である。光ディスクＤとしては、例えば１回に限り記録が可能なＣＤ−Ｒ（Compact Disc-Recordable）又はＤＶＤ−Ｒ、複数回にわたって消去及び記録が可能なＣＤ−ＲＷ（Compact Disc-Rewritable）又はＤＶＤ−ＲＷなどの種々の光ディスクを使用することができる。
【００３４】
情報記録再生装置１は、光ディスクＤに対して記録ビーム及び再生ビームを照射する光ピックアップ２と、光ディスクＤの回転を制御するスピンドルモータ３と、光ディスクＤへの情報の記録を制御する記録制御部１０と、光ディスクＤに既に記録されている情報の再生を制御する再生制御部２０と、スピンドルモータ３の回転を制御するスピンドルサーボ、並びに光ピックアップ２の光ディスクＤに対する相対的位置制御であるフォーカスサーボ及びトラッキングサーボを含む各種サーボ制御を行うためのサーボ制御部３０と、を備える。
【００３５】
記録制御部１０は記録信号を受け取り、後述の処理により光ピックアップ２内部のレーザダイオードを駆動するための駆動信号ＳDを生成して、これを光ピックアップ２へ供給する。
【００３６】
再生制御部２０は、光ピックアップ２から出力される読取ＲＦ信号Ｓrfを受け取り、これに対して所定の復調処理、復号化処理などを施して再生信号を生成して出力する。
【００３７】
サーボ制御部３０は、光ピックアップ２からの読取ＲＦ信号Ｓrfを受け取り、これに基づいてトラッキングエラー信号及びフォーカス信号などのサーボ信号Ｓ１を光ピックアップ２へ供給するとともに、スピンドルサーボ信号Ｓ２をスピンドルモータ３へ供給する。これにより、トラッキングサーボ、フォーカスサーボ、スピンドルサーボなどの各種サーボ処理が実行される。
【００３８】
なお、本発明は主として記録制御部１０における記録方法に関するものであり、再生制御及びサーボ制御については既知の種々の方法が適用できるので、それらについての詳細な説明は行わない。
【００３９】
また、図１には本発明の１つの実施形態として情報記録再生装置を例示しているが、本発明は記録専用の情報記録装置に適用することも可能である。
【００４０】
図２に、光ピックアップ２及び記録制御部１０の内部構成を示す。図２に示すように、光ピックアップ２は、光ディスクＤに対して情報を記録するための記録ビーム及び光ディスクＤから情報を再生するための再生ビームを生成するレーザダイオードＬＤと、レーザダイオードＬＤから出射されたレーザ光を受光して、レーザ光に対応するレーザパワーレベル信号ＬＤoutを出力するフロントモニタダイオード（ＦＭＤ）１６とを備える。
【００４１】
なお、光ピックアップ２は、この他に再生ビームの光ディスクＤによる反射ビームを受光して読取ＲＦ信号Ｓrfを生成するための光検出器や、記録ビーム及び再生ビーム並びに反射ビームを適切な方向に案内する光学系などの既知の構成要素を備えるが、それらの図示及び詳細な説明は省略する。
【００４２】
一方、記録制御部１０は、レーザダイオード（ＬＤ）ドライバ１２と、ＡＰＣ（Automatic Power Control）回路１３と、サンプルホールド（Ｓ／Ｈ）回路１４と、コントローラ１５とを備える。
【００４３】
ＬＤドライバ１２は、記録信号に応じた電流をレーザダイオードＬＤに供給して、光ディスクＤへ情報の記録を行う。フロントモニタダイオード１６は、光ピックアップ２内のレーザダイオードＬＤの近傍に配置され、レーザダイオードＬＤから出射されるレーザ光を受光して、そのレベルを示すレーザパワーレベル信号ＬＤoutを出力する。
【００４４】
サンプルホールド回路１４は、サンプルホールド信号APC-S/Hにより規定されるタイミングでレーザパワーレベル信号ＬＤoutのレベルをサンプルし、ホールドする。ＡＰＣ回路１３は、サンプルホールド回路１４の出力信号に基づき、レーザダイオードＬＤから出射されるレーザ光のリードパワーレベルが一定となるようにＬＤドライバ１２のパワー制御を行う。
【００４５】
コントローラ１５は、主として記録動作とＡＰＣ動作とを行う。まず、記録動作について説明する。記録動作では、コントローラ１５はレーザダイオードＬＤへ供給される電流量を制御するスイッチの切換信号ＳＷR、ＳＷW1及びＳＷW2を生成して、ＬＤドライバ１２へ供給する。
【００４６】
図３にＬＤドライバ１２の詳細構成を示す。図３に示すように、ＬＤドライバ１２は、リードレベル用の電流源１７Ｒ、ライトレベル用の電流源１７Ｗ１及び１７Ｗ２、スイッチ１８Ｒ、１８Ｗ１及び１８Ｗ２を備える。
【００４７】
リードレベル用の電流源１７Ｒは、レーザダイオードＬＤにリードパワーでレーザ光を出射させるための駆動電流ＩRを流す電流源であり、駆動電流ＩRはスイッチ１８Ｒを介してレーザダイオードＬＤに供給される。よって、スイッチ１８ＲをオンにするとレーザダイオードＬＤにリードパワーの駆動電流ＩRが供給され、スイッチ１８Ｒをオフにすると駆動電流ＩRの供給は停止される。電流源１７Ｒからの駆動電流ＩRの大きさは、制御信号ＳAPCにより変化する。
【００４８】
ライトレベル用の電流源１７Ｗ１及び１７Ｗ２は、それぞれレーザダイオードＬＤにライトパワーでレーザ光を出射させるための駆動電流ＩW1及びＩW2を流す電流源である。駆動電流ＩW1はスイッチ１８Ｗ１を介してレーザダイオードＬＤに供給され、駆動電流ＩW2はスイッチ１８Ｗ２を介してレーザダイオードＬＤに供給される。
【００４９】
本発明によるライトストラテジーでは、第１のライトパワーＰhと、それより低い第２のライトパワーＰmの２つのレベルのライトパワーが使用される（図５参照）。スイッチ１８Ｒをオンにした状態で、スイッチ１８Ｗ１をオンにすると、レーザダイオードＬＤに駆動電流ＩR及びＩW1の合計駆動電流が供給され、これにより第２のライトパワーＰmでレーザダイオードが駆動される。また、スイッチ１８Ｒ及び１８Ｗ１をオンにした状態でさらにスイッチ１８Ｗ２をオンにすると、レーザダイオードＬＤにはさらに駆動電流ＩW2が供給され、その結果、レーザダイオードには駆動電流ＩR、ＩW1及びＩW2の合計の駆動電流が流れてレーザダイオードは第１のライトパワーＰhで駆動される。スイッチ１８Ｗ１をオフにすると駆動電流ＩW1の供給は停止され、スイッチ１８Ｗ２をオフにすると駆動電流ＩW2の供給は停止される。
【００５０】
図４に、レーザダイオードＬＤに供給される駆動電流と、レーザダイオードＬＤから出射されるレーザ光の出力パワーとの関係を示す。図４からわかるように、レーザダイオードＬＤに駆動電流ＩRを供給すると、リードパワーＰRでレーザ光が出射される。その状態でさらに駆動電流ＩW1を加えると、第２のライトパワーＰmでレーザ光が出射される。また、さらに駆動電流ＩW2を加えると、第１のライトパワーＰhでレーザ光が出射される。
【００５１】
光ディスクへの情報の記録時には、基本的には駆動電流ＩRを常に供給してリードパワーＰRでレーザ光を出射しておき、さらに記録パルスに従って駆動電流ＩW1及びＩW2を追加することにより第１のライトパワーＰh又は第２のライトパワーPmが印加されて、情報が光ディスクに記録される。
【００５２】
次に、ＡＰＣ動作について説明する。ＡＰＣ動作は、レーザダイオードＬＤにより出力されるレーザ光のリードパワーのレベルが一定となるように、ＬＤドライバ１２からレーザダイオードＬＤに供給される駆動電流レベルを調整するものである。より詳細には、記録信号（８−１６変調されており、３Ｔ〜１１Ｔ、１４Ｔの長さのマーク期間及びスペース期間を有する）のスペース部のうち、長いスペース期間（例えば５Ｔ〜１１Ｔ、１４Ｔのスペース期間）中において、リードパワーのレベルが一定となるように記録制御部１０からの駆動信号ＳDを調整する。
【００５３】
具体的には以下のように動作する。コントローラ１５は、上述のように記録信号に対応する記録パルスを生成して、当該記録パルスによってＬＤドライバ１２を駆動してレーザダイオードＬＤからレーザ光を出射させる。
【００５４】
フロントモニタダイオード１６は、光ピックアップ２内のレーザダイオードＬＤの近傍に配置され、レーザダイオードＬＤから出射したレーザ光を受光してそのレベルを示すレーザパワーレベル信号ＬＤoutを生成し、サンプルホールド回路１４に供給する。
【００５５】
サンプルホールド回路１４は、コントローラ１５から入力されるサンプルホールド信号APC-S/Hにより与えられるタイミングで、フロントモニタダイオード１６から供給されるレーザパワーレベル信号ＬＤoutをサンプルし、そのレベルを所定期間ホールドする。コントローラ１５から出力されるサンプルホールド信号APC-S/Hは、ＡＰＣを実行する期間（「ＡＰＣ期間」と呼ぶ。）を示すパルスである。
【００５６】
よってサンプルホールド回路１４は、記録信号のスペース期間中のＡＰＣ期間においてレーザパワーレベル信号ＬＤoutのレベルをホールドしてＡＰＣ回路１３へ供給する。ＡＰＣ回路１３は、ＡＰＣ期間におけるレーザパワーレベル信号ＬＤoutのレベルが一定となるように、ＬＤドライバ１２へ制御信号ＳAPCを供給する。
【００５７】
制御信号ＳAPCは、図３に示すように、ＬＤドライバ１２内のリードレベル用電流源１７Ｒに入力される。これにより、制御信号ＳAPCに応じて、リードレベル用電流源１７Ｒから流れる電流ＩRが変化する。つまり、レーザダイオードＬＤにより得られるリードパワーレベルが一定となるようにＡＰＣが実行される。
【００５８】
［ライトストラテジー］
次に、本発明によるライトストラテジーについて説明する。
【００５９】
（基本ライトストラテジー）
まず、基本ライトストラテジーによる記録パルス波形を図５に示す。図５に示すように、基本ライトストラテジーによる記録パルス波形は、トップパルス４０、中間バイアス部４１及びラストパルス４２の３つの部分により構成される。また、これらの部分以外においては、記録パルス波形はリードパワーＰRのレベルに維持されている。
【００６０】
基本ライトストラテジーは、２値のライトパワーを使用している。トップパルス４０及びラストパルス４２は第１のライトパワーＰhを有し、中間バイアス部４１は第２のライトパワーＰmを有している。第２のライトパワーＰmはリードパワーＰRより高いが、第１のライトパワーＰhより低く設定される。
【００６１】
トップパルス４０はマーク記録のために光ディスクの記録面を予熱し、マーク始端部を形成する役割を有する。中間バイアス部４１は記録データの長さに応じてその時間幅が変化する。ラストパルス４２は主としてマークの後端部の形状を調整する役割を有する。また、基本的には、形成される記録マークの長さはトップパルス幅Ｔtop、ラストパルス幅Ｔlp、トップパルス前端部からラストパルス後端部までの幅Ｔｐ及び第１のライトパワーＰhにより制御され、形成される記録マークの幅は第２のライトパワーＰmにより制御される。
【００６２】
図６に、記録すべき各マーク長に対応する記録パルス波形を示す。記録データは８−１６変調されており、３Ｔ〜１１Ｔ、１４Ｔの長さのマーク期間及びスペース期間を有する。図示のように、記録パルス波形の前方エッジはマーク長にかかわらず常に記録データの前方エッジから１．５Ｔ遅れた位置にある。３Ｔ及び４Ｔの記録データの記録パルス波形は中間バイアス部４１を有さず、トップパルス４０とラストパルス４２とが合成された形で１つのパルスとなっている。このパルスのパワーはトップパルス及びラストパルスと同じ第１のライトパワーＰhである。
【００６３】
記録データが５Ｔ以上の場合は、それぞれの長さに応じて中間バイアス部４１の長さが増加する。トップパルス４０とラストパルス４２のパルス幅は基本的にはそれぞれほぼ一定であり、中間バイアス部４１のように記録データ長に応じて大きく変化させなくても良い。
【００６４】
なお、図６の例においては、記録データが４Ｔの場合もトップパルスとラストパルスが合成した１つのパルス波形としているが、図６中の破線１００で示すように、記録データが４Ｔの場合は中間バイアス部を設けるように記録パルス波形を決定することもできる。
【００６５】
また、記録速度を高速化した場合には、その分クロックも高速化するので、３Ｔ及び４Ｔの記録データのみならず、５Ｔ以上の記録データについても、中間バイアス部が無くなった単一パルス型の記録パルス波形としても良い。
【００６６】
（改良型ライトストラテジー）
次に、本発明の改良型ライトストラテジーについて説明する。改良型ライトストラテジーは、上述の基本ライトストラテジーを基礎とし、さらに高速記録を行う際に適したものである。例えば、２種類以上の異なる速度で記録を行うことができる情報記録装置において、上述の基本ライトストラテジーを利用して通常速度の記録を行い、以下に説明する改良型ライトストラテジーを利用して通常速度よりも高速な記録を行うことができる。
【００６７】
高速記録を行うためにディスク回転速度を増加させる場合、正しく記録マークを形成するためには、その分記録レーザパワーも増加しなければならない。しかし、記録レーザパワーをあまりに増加すると、ディスクの記録トラックに形成される記録マークの幅が必要以上に広くなり、ＬＰＰの検出に支障が出るなどの不具合が生じる。本発明の改良型ライトストラテジーは、高速記録用にディスク回転速度を増加した場合でも、適切な幅の記録マークを形成することを可能とする。
【００６８】
先に述べたように、基本ライトストラテジーにおいて、形成される記録マークの幅に最も影響を与えるのは中間バイアス部４１のライトパワーＰmである。よって、ライトパワーＰmを下げれば、記録マークの幅が小さくなり変調度を下げることができる。なお、変調度とは、最長スペース部（１４Ｔスペース）に対する再生信号のピーク値とゼロレベルとの差Ｉ14Hと、最長記録マークと最長スペースに対する再生信号の振幅Ｉ14の比（Ｉ14／Ｉ14H）を示す値であり、ＤＶＤ−Ｒ規格書によれば、変調度：０．６０（６０％）以上が要求されている。
【００６９】
しかし、中間バイアス部４１のライトパワーＰmのみを下げて変調度を小さくすると、再生波形に歪みが生じ、記録・再生におけるジッタの増加、記録マークの読取エラーの増加、エラーレートの増加などの問題が生じる。また、歪んだ再生波形を利用して再生処理を行うと記録データの誤検出の可能性が増加する。さらに、中間バイアス部４１のライトパワーＰmのみを下げて記録を行うと、ディスク上に形成される記録マークの形状は、トップパルス４０とラストパルス４２に対応する先端部と後端部では幅広で、中間バイアス部４１に対応する中間部分のみ幅が狭くなった形状となり、幅広である先端部と後端部でやはりＬＰＰの形状に悪影響を与えてしまう。
【００７０】
このような不具合を解消するために、中間バイアス部４１のライトパワーＰmのみでなく、トップパルス４０とラストパルス４２に対応するライトパワーＰhのレベルも減少させれば、再生波形の歪みを抑えることができる。しかし、前述のようにトップパルス４０とラストパルス４２に対応するライトパワーＰhは、形成される記録マークの長さに影響を与える。よって、再生波形の歪みを抑制するために、トップパルス４０とラストパルス４２に対応するライトパワーＰhを小さくすると、記録マークの長さが短くなってしまい、記録データの誤検出が生じる恐れがある。
【００７１】
そこで、本発明の改良型ライトストラテジーでは、トップパルス４０の位置を所定量だけ前方にシフトすること、又は、ラストパルス４２の位置を所定量だけ後方にシフトすることによりトップパルス前端部からラストパルス後端部までの幅Ｔｐを大きくし、記録マークの長さが短くなることを防止することとした。即ち、本発明の改良型ライトストラテジーでは、
（改良点１）：トップパルス４０の位置を所定量だけ前方にシフトする、又は、ラストパルス４２の位置を所定量だけ後方にシフトすること、及び、
（改良点２）：中間バイアス部４１に対応するライトパワーＰmを減少させること、を同時に行うこととした。
【００７２】
また、上記の２つに加え、必要に応じて、
（改良点３）：トップパルス４０及びラストパルス４２に対応するライトパワーＰhを小さくすることも併せて行う。
【００７３】
この改良型ライトストラテジーによれば、中間バイアス部４１のライトパワーＰmを減少させることにより、記録マークの幅の広がりを抑制する。ライトパワーＰmを減少させると再生波形に歪みが生じるが、トップパルス４０及びラストパルス４２に対応するライトパワーＰhを必要に応じて減少させてこの歪みを抑制する。また、ライトパワーＰhを減少させると記録マーク全体の長さが短くなるが、その分、トップパルス４０の位置を前方にシフトするか、又はラストパルス４２の位置を後方へシフトして、形成される記録マークの全体の長さを適正な長さに保つ。以上により、高速記録時において、記録レーザパワーを増加させた場合でも、記録マークの幅が増大することを防止し、かつ、歪みの発生も抑制することができる。
【００７４】
図７に、本発明の改良型ライトストラテジーによる記録パルス波形の例を示す。図７（ａ）は記録データの波形であり、図７（ｂ）は基本ライトストラテジーによる記録パルス波形であり、図７（ｃ）及び図７（ｄ）は改良型ライトストラテジーによる記録パルス波形の例であり、図７（ｅ）はクロック波形である。
【００７５】
図７（ｃ）に示す改良型ライトストラテジーの記録パルス波形は、図７（ｂ）に示す基本ライトストラテジーの記録パルス波形と比較して、トップパルス４０の位置が０．５Ｔだけ前方へシフトしている。なお、このシフト量は単なる一例であり、光ディスクに応じて０．１〜１．５Ｔの間の値を取り得る。また、改良型ライトストラテジーによる中間バイアス部４１のライトパワーＰmは、基本ライトストラテジーによる記録パルス波形中間バイアス部４１のライトパワーＰmよりも小さくなっている。更に、改良型ライトストラテジーによるトップパルス４０及びラストパルス４２のライトパワーＰhは、基本ライトストラテジーによる記録パルス波形のトップパルス４０及びラストパルス４２のライトパワーＰhよりも小さくなっており、改良型ライトストラテジーによる中間バイアス部４１のライトパワーＰmの１．１〜２．０倍の間を取り得る。
【００７６】
一方、図７（ｄ）に示す改良型ライトストラテジーによる記録パルス波形例は、図７（ｂ）に示す基本ライトストラテジーによる記録パルス波形例と比較して、ラストパルス４２の位置が０．５Ｔだけ後方にシフトしている。なお、このシフト量は単なる一例であり、光ディスクに応じて０．１〜１．５Ｔの間の値を取り得る。また、中間バイアス部４１のライトパワーＰmが、基本ライトストラテジーによる記録パルス波形中間バイアス部４１のライトパワーＰmよりも小さくなっており、更に、記録パルス波形のトップパルス４０及びラストパルス４２のライトパワーＰhが、基本ライトストラテジーによる記録パルス波形のトップパルス４０及びラストパルス４２のライトパワーＰhよりも小さくなっており、改良型ライトストラテジーによる中間バイアス部４１のライトパワーＰmの１．１〜２．０倍の間を取り得ることは、図７（ｃ）に示す記録パルス波形例と同様である。
【００７７】
なお、本発明の改良型ライトストラテジーでは、トップパルス４０及びラストパルス４２に対応するライトパワーＰhを減少させること（即ち、改良点３）は必須ではない。基本的には、中間バイアス部４１のライトパワーＰmを下げる量が大きい場合には、それに応じてライトパワーＰhをある程度下げないと信号波形の歪みが大きくなってしまうという事実がある。本発明においては、ライトパワーＰhを下げるか否か、又は、下げる場合にどの程度下げるかは、改良点１によりトップパルス又はラストパルスをシフトさせる量、及び、改良点２により中間バイアス部のライトパワーＰmを減少させる量に依存して決定されることになる。
【００７８】
図８に、本発明の改良型ライトストラテジーによる記録データ３Ｔ〜１１Ｔ及び１４Ｔに対応する記録パルス波形を示す。なお、比較のため、同記録速度における基本ライトストラテジーによる３Ｔ〜１１Ｔ及び１４Ｔの記録パルス波形を破線で示している。なお、本改良型ライトストラテジーによれば、３Ｔと４Ｔの記録データに対する記録パルス波形が中間バイアス部を持たないが、中間バイアス部を設けても良い。また、高速記録時の速度が高まる（例えば６倍速、８倍速、..）に従って、より長い記録データ（例えば５Ｔ、６Ｔ、..）に対する記録パルス波形まで、中間バイアス部を有しない波形としても良い。
【００７９】
なお、図７に示した例では、７Ｔの記録マークに対応する記録パルス波形において０．５Ｔだけトップパルスを前方にシフトしているが、このシフト量は単なる一例であり、上述したように光ディスクに応じて０．１〜１．５Ｔの間の値を取り得る。但し、トップパルス４０の位置を前方にシフトする場合でも、トップパルスの前エッジが記録データの前エッジより前方に位置することはない。また、図８に示した３Ｔ〜１１Ｔ及び１４Ｔの記録パルス波形においては、トップパルスのシフト量は同一であるが、各記録パルスの長さに応じて同一の割合でトップパルスをシフトさせてもよい。
【００８０】
次に、図９を参照して、改良型ライトストラテジーにより得られる特性を、基本ライトストラテジーを利用した比較例により得られる特性と比較して検討する。図９（ａ）〜（ｄ）に示した特性グラフにおいて、ＳＴＧ１は図７（ｂ）に例示する基本ライトストラテジーによる記録パルス波形を使用した場合の特性を示す。ＳＴＧ２は同じ基本ライトストラテジーによる記録パルス波形において、中間バイアス部４１のライトパワーＰmを低下させ、トップパルス４０及びラストパルス４２のパルス幅を長くした比較例の特性である。ＳＴＧ３は同じ基本ライトストラテジーによる記録パルス波形において、中間バイアス部４１のライトパワーＰmをＳＴＧ２の場合よりさらに低下させ、トップパルス４０及びラストパルス４２のパルス幅をＳＴＧ２の場合よりさらに長くした比較例の特性である。
【００８１】
一方、ＳＴＧ４は、図７（ｃ）に例示する改良型ライトストラテジーによる記録パルス波形であり、トップパルス４０の位置を０．５Ｔだけ前方にシフトするとともに中間バイアス部４１のライトパワーＰmを低下させた場合の特性である。また、ＳＴＧ５は同じく改良型ライトストラテジーによる記録パルス波形であるが、トップパルス４０の位置を１．０Ｔだけ前方にシフトし、中間バイアス部４１のライトパワーＰmをＳＴＧ４の場合よりさらに低下させた場合の特性である。
【００８２】
図９（ａ）及び図９（ｂ）では、横軸は中間バイアス部のライトパワーＰmを示し、縦軸は変調度（Modulation）を示している。また、図９（ｃ）及び図９（ｄ）では、横軸は同じく中間バイアス部のライトパワーＰmを示し、縦軸はＡＲを示している。ＡＲ（Aperture Ratio after recording）は、図１０に示すように、記録後におけるプッシュプル信号に現れるＬＰＰ信号の最大値ＡＰ（max）と最小値ＡＰ（min）との比（ＡＰ（max）／ＡＰ（min））であり、ＬＰＰの品質を示す値である。このＡＲの値が大きいほど、形成される記録マークが隣接するランド上のＬＰＰに影響を与えることが小さいことを意味する。ＤＶＤ−Ｒディスクの規格書によれば、ＡＲ＞１５％が要求されており、ＤＶＤ−ＲＷディスクの規格書によれば、ＡＲ＞１０％が要求されている。
【００８３】
図９（ａ）と図９（ｂ）を比較するとわかるように、改良型ライトストラテジーによる特性ＳＴＧ４及びＳＴＧ５では、中間バイアス部のライトパワーＰmを低下させると、それに応じて変調度が低下している。これに対し、比較例の特性ＳＴＧ２及びＳＴＧ３では、改良型ライトストラテジーの場合に比べて、中間バイアス部のライトパワーＰmの低下に対する変調度の減少度合いが小さい。即ち、改良型ライトストラテジーの方が、中間バイアス部のライトパワーＰmの低下により、効果的に変調度を減少させることができる。
【００８４】
次に、図９（ｃ）と図９（ｄ）を比較するとわかるように、改良型ライトストラテジーによる特性ＳＴＧ４及びＳＴＧ５では、中間バイアス部のライトパワーＰmを減少させると、ＡＲの値は顕著に増加する。これに対して、比較例の特性ＳＴＧ２及びＳＴＧ３では、中間バイアス部のライトパワーＰmを減少させても、歪みが増加してしまい、ＡＲ値はあまり増加しない。よって、改良型ライトストラテジーにおける、中間バイアス部のライトパワーＰmの減少の方が、より効果的にＡＲ値の増加に寄与し、形成される記録マークがランドトラック上のＬＰＰに影響を与えることが防止できる。
【００８５】
図１１に、上記比較例の場合と、改良型ライトストラテジーの場合の再生信号波形例を示す。図１１（ａ）は比較のために基本ライトストラテジー（ＳＴＧ１）で記録した場合の再生信号波形を示し、図１１（ｂ）は上記比較例（ＳＴＧ３）により記録したマークの再生信号波形例を示し、図１１（ｃ）は本願の改良型ライトストラテジー（ＳＴＧ５）により記録したマークの再生信号波形例を示す。各図の特に符号１１０の付近の波形に注目すると、図１１（ａ）に示す再生信号波形では、３Ｔ〜１１Ｔ及び１４Ｔに対応する各波形の下端レベルが揃っているが、変調度が大きくＬＰＰに与える影響が大きい。図１１（ｂ）に示す比較例の場合の再生信号波形では、図１１（ａ）と比較して変調度が小さくなっているが、波形の下端レベルが揃っておらず、７〜８Ｔより長い記録マークの中央部に対応する再生信号波形の下端レベルが高くなり波形が歪んでしまっている。これは、長い記録マークがひょうたんのように、その中央部がくびれて形成されていることによる。一方、図１１（ｃ）に示す改良型ライトストラテジーの再生信号波形例は、図１１（ａ）と比較して変調度が小さくなっており、各記録マークの再生信号波形の下端が揃っている。
【００８６】
以上説明したように、本発明の改良型ライトストラテジーでは、（１）トップパルスの位置を前方にシフトするか、又はラストパルスの位置を後方にシフトすること、及び、（２）シフト量に応じてトップパルスのライトパワーＰｈ及び中間バイアス部のライトパワーＰmを低下させることにより、再生信号波形に歪みを生じさせることなく、形成される記録マークの幅の増大を抑制することができる。
【００８７】
［他の適用例］
上に説明した改良型ライトストラテジーは、図５に示すような基本ライトストラテジーを基礎としていた。しかし、本発明の改良型ライトストラテジーの考え方は、図１５に示した従来型のライトストラテジーにも同様に適用することが可能である。
【００８８】
本発明の改良型ライトストラテジーの考え方を従来型のライトストラテジーに適用した場合の適用例を図１２及び図１３に示す。図１２（ａ）は記録データ波形を示し、図１２（ｂ）はトップパルスとパルストレインにより構成される従来型ライトストラテジーの改良前の記録パルス波形を示し、図１２（ｃ）は本発明の改良型ライトストラテジーの考え方を従来型ライトストラテジーに適用した場合の記録パルス波形例を示す。図１２（ｂ）と図１２（ｃ）を比較するとわかるように、本発明を適用した記録パルス波形では、トップパルス７０の位置が０．５Ｔだけ前方にシフトしている。また、パルストレイン７２を構成する各パルス７１のパルス幅が減少している。なお、かかるパルストレイン７２のデューティ比（パルス７１の幅／パルス７１の周期）としては、ディスクに応じて０．３〜０．９の間の値を取り得る。これは、前述の基本ライトストラテジーにおいて中間バイアス部のレベルを低下させることと等価である。
【００８９】
また、図１３に示す例でも、図１３（ａ）は記録データ波形を示し、図１３（ｂ）はトップパルスとパルストレインにより構成される従来型ライトストラテジーの改良前の記録パルス波形を示し、図１３（ｃ）は本発明の改良型ライトストラテジーの考え方を従来型ライトストラテジーに適用した場合の記録パルス波形例を示す。
【００９０】
図１２に示した例で、トップパルス７０のみを前方にシフトし、パルストレイン７２を構成するパルス７１の位置は移動させなかったが、図１３に示す例ではパルストレイン７２を構成する各パルス７１を、トップパルス７０のシフト量に応じて均等に移動させている。即ち、トップパルス７０の移動により記録パルス全体の時間幅が増加した割合に応じて、各パルス７１の位置をシフトしている。また、図１２（ｃ）と同様に、パルストレイン７２を構成する各パルス７１のパルス幅が減少している。これは、前述の基本ライトストラテジーにおいて中間バイアス部のレベルを低下させることと等価である。
【００９１】
図１２（ｃ）及び図１３（ｃ）に示す例によっても、図７（ｃ）などに示す改良型ライトストラテジーと同様の効果を得ることができる。
【００９２】
なお、本発明は、上述の実施形態に限定されるものではない。例えば、図７（ｃ）によれば、トップパルスの位置を所定量だけ前方にシフトし、また図７（ｄ）によれば、ラストパルスの位置を所定量だけ後方にシフトするようにしたが、トップパルスの位置とラストパルスの両方を夫々前方および後方にシフトし、記録マークの長さが所望となるようにしても良い。
【００９３】
また、図１４（ｂ）に示すように、基本ライトストラテジーのトップパルス４０の位置が図７（ｂ）に示す基本ライトストラテジーのトップパルス４０の位置に対して０．５Ｔ後方にある場合、図１４（ｃ）に示す改良型ライトストラテジーのトップパルス４０の位置は、図１４（ｂ）に示す基本ライトストラテジーのトップパルスと比較して、光ディスクに応じて、前方へ０．１Ｔ〜２．０Ｔの間でシフトすることができる。この場合においても、改良型ライトストラテジーによる中間バイアス部４１のライトパワーＰmは、基本ライトストラテジーによる記録パルス波形中間バイアス部４１のライトパワーＰmよりも小さくなっている。更に、改良型ライトストラテジーによるトップパルス４０及びラストパルス４２のライトパワーＰhは、基本ライトストラテジーによる記録パルス波形のトップパルス４０及びラストパルス４２のライトパワーＰhよりも小さくなっており、改良型ライトストラテジーによる中間バイアス部４１のライトパワーＰmの１．１〜２．０倍の間を取り得る。一方、図１４（ｄ）に示す改良型ライトストラテジーによる記録パルス波形は、図１４（ｂ）に示す基本ライトストラテジーによる記録パルス波形例と比較して、ラストパルス４２の位置を０．１Ｔ〜２．０Ｔ後方にシフトさせた状態を示すものであり、その詳細な説明を省略する。
【００９４】
また、上述の実施例によれば、ラストパルス４２を備える記録パルス信号であったが、ラストパルス４２を備えない記録パルス信号に本発明を適用することもできる。
【００９５】
以上説明したように、本発明の改良型ライトストラテジーによれば、トップパルス、中間バイアス部及びラストパルスにより構成される記録パルス信号において、トップパルスの位置を前方にシフトするかラストパルスの位置を後方へシフトさせることにより、再生信号波形に歪みを生じさせることなく、形成される記録マークの幅の増大を抑制することができる。よって、記録トラックに隣接するランドトラック上のＬＰＰを記録マークにより変形させたり、つぶしたりすることが防止できる。また、再生信号波形の歪みを生じさせないので、ジッタや記録マークの読取エラーなどを防止することができる。
【００９６】
また、トップパルス及びパルストレインにより構成される記録パルス波形に対して、同様の改良を適用し、トップパルスの位置を前方にシフトすることによっても、同様の効果を得ることができる。
【産業上の利用可能性】
【００９７】
本発明に係る情報記録装置および情報記録方法は、レーザ光線などを利用して光ディスクの情報を記録する際に利用することができる。
【図面の簡単な説明】
【００９８】
【図１】本発明を適用した情報記録再生装置の概略構成を示すブロック図である。
【図２】図１に示す記録制御部の構成を示すブロック図である。
【図３】図２に示すＬＤドライバの構成を示す図である。
【図４】レーザダイオードに与えられる駆動電流と出力パワーとの関係を示すグラフである。
【図５】基本ライトストラテジーによる記録パルス波形の例を示す波形図である。
【図６】基本ライトストラテジーによる３Ｔ〜１１Ｔ、１４Ｔの長さの記録パルス波形を示す波形図である。
【図７】本発明の改良型ライトストラテジーによる記録パルス波形の例を示す波形図である。
【図８】本発明の改良型ライトストラテジーによる３Ｔ〜１１Ｔ、１４Ｔの長さの記録パルス波形を示す波形図である。
【図９】本発明の改良型ライトストラテジーによる特性を、比較例の特性との比較において示す。
【図１０】ＡＲの説明に供する図である。
【図１１】本発明の改良型ライトストラテジーによる再生信号波形を、比較例の再生信号波形との比較において示す。
【図１２】本発明の改良型ライトストラテジーを従来型のライトストラテジーに適用した例を示す。
【図１３】本発明の改良型ライトストラテジーを従来型のライトストラテジーに適用した例を示す。
【図１４】本発明の改良型ライトストラテジーによる記録パルス波形の他の例を示す波形図である。
【図１５】従来のライトストラテジーによる記録パルス波形の例を示す。
【国際調査報告】
2003107332.tif 000018
2003107332.tif 000019
2003107332.tif 000020
2003107332.tif 000021
2003107332.tif 000022
2003107332.tif 000023
2003107332.tif 000024
2003107332.tif 000025